(57)【要約】本発明は、通信方法、装置、プログラム及び記録媒体を提供し、通信技術分野に属する。前記方法は、ＵＥの少なくとも１つのレベル情報を基地局に送信し、レベル情報は、ＵＥが通信を行う伝送速度を示すためのものであるステップと、第１のサービスがトリガされると、ＵＥのサービスとレベル情報との間の対応関係から第１のサービスに対応する第１のレベル情報を照会するステップと、第１のレベル情報が少なくとも１つのレベル情報に含まれている場合には、第１のレベル情報によって示される伝送速度で第１のサービス要求を基地局に送信し、第１のサービス要求は、基地局に第１のレベル情報によって示される伝送速度に応じてＵＥと第１のサービスの通信を行うように要求するためのものであるステップと、を含む。本発明は、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。【選択図】図１
2019503089.tif 000002
【特許請求の範囲】
【請求項１】
ユーザ機器ＵＥに用いられる通信方法であって、
前記ＵＥの少なくとも１つのレベル情報を基地局に送信し、前記レベル情報は、前記ＵＥが通信を行う伝送速度を示すためのものであるステップと、
第１のサービスがトリガされると、前記ＵＥのサービスとレベル情報との間の対応関係から前記第１のサービスに対応する第１のレベル情報を照会するステップと、
前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものであるステップと、を含む
ことを特徴とする通信方法。
【請求項２】
前記基地局が前記第１のレベル情報によって示される伝送速度に応じて前記ＵＥと前記第１のサービスの通信を行うとき、第２のサービスがトリガされると、前記ＵＥのサービスとレベル情報との間の対応関係から前記第２のサービスに対応する第２のレベル情報を照会するステップと、
前記第２のレベル情報が前記少なくとも１つのレベル情報に含まれている場合には、前記基地局が前記第１のレベル情報によって示される伝送速度に応じて前記ＵＥと通信を行うとともに、前記第２のレベル情報によって示される伝送速度で第２のサービス要求を前記基地局に送信し、前記第２のサービス要求は、前記基地局に前記第２のレベル情報によって示される伝送速度に応じて前記ＵＥと前記第２のサービスの通信を行うように要求するためのものであるステップと、をさらに含む
ことを特徴とする請求項１に記載の方法。
【請求項３】
第３のサービスがトリガされると、前記ＵＥのサービスとレベル情報との間の対応関係から第３のサービスに対応する第３のレベル情報を照会するステップと、
前記第３のレベル情報が前記少なくとも１つのレベル情報に含まれていない場合には、前記ＵＥの現在のレベル情報を前記第３のレベル情報に切り替えるステップと、
前記第３のレベル情報によって示される伝送速度で第３のサービス要求を前記基地局に送信し、前記第３のサービス要求が前記第３のレベル情報を携帯し、前記第３のサービスは、前記基地局に前記第３のレベル情報によって示される伝送速度に応じて前記ＵＥと前記第３のサービスの通信を行うように要求するためのものであるステップと、をさらに含む
ことを特徴とする請求項１に記載の方法。
【請求項４】
前記第３のサービス要求を前記基地局に送信した後、
前記基地局が前記第３のレベル情報によって示される伝送速度に応じて前記ＵＥと前記第３のサービスとの通信が終了すると、前記第３のレベル情報を前記第１のレベル情報に切り替えるステップと、
レベル切り替え要求を前記基地局に送信し、前記レベル切り替え要求は、前記基地局が記憶された前記ＵＥに対応する前記第３のレベル情報を前記第１のレベル情報に切り替えるように指示するためのものであるステップと、をさらに含む
ことを特徴とする請求項３に記載の方法。
【請求項５】
前記レベル情報は、さらに、前記ＵＥの通信遅延の上限を示す
ことを特徴とする請求項１に記載の方法。
【請求項６】
基地局に用いられる通信方法であって、
ユーザ機器ＵＥが送信した少なくとも１つのレベル情報を受信し、前記レベル情報は、前記ＵＥが通信を行う伝送速度を示すためのものであるステップと、
前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報であるステップと、を含む
ことを特徴とする通信方法。
【請求項７】
前記第１のレベル情報によって示される伝送速度に応じて前記ＵＥと前記第１のサービスの通信を行うとき、前記ＵＥが第２のレベル情報によって示される伝送速度で送信した第２のサービス要求が受信されると、第２のレベル情報が前記少なくとも１つのレベル情報に含まれているか否かを判断し、
前記第２のレベル情報は、第２のサービスに対応するレベル情報であるステップと、
前記第２のレベル情報が前記少なくとも１つのレベル情報に含まれている場合には、前記第１のレベル情報によって示される伝送速度に応じて前記ＵＥと前記第１のサービスの通信を行うとともに、前記第２のレベル情報によって示される伝送速度に応じて前記ＵＥと前記第２のサービスの通信を行うステップと、をさらに含む
ことを特徴とする請求項６に記載の方法。
【請求項８】
前記ＵＥが第３のレベル情報によって示される伝送速度で送信した第３のサービス要求が受信されると、前記第３のサービス要求が前記第３のレベル情報を携帯し、前記第３のレベル情報によって示される伝送速度に応じて前記ＵＥと第３のサービスの通信を行うステップをさらに含む
ことを特徴とする請求項６に記載の方法。
【請求項９】
前記第３のレベル情報によって示される伝送速度に応じて前記ＵＥと第３のサービスの通信を行った後、
前記ＵＥが送信したレベル切り替え要求が受信されると、記憶された前記ＵＥに対応する前記第３のレベル情報を前記第１のレベル情報に切り替えるステップをさらに含む
ことを特徴とする請求項８に記載の方法。
【請求項１０】
前記レベル情報は、さらに、前記ＵＥの通信遅延の上限を示す
ことを特徴とする請求項６に記載の方法。
【請求項１１】
前基地局に用いられる通信方法であって、
ＵＥが送信した少なくとも１つのレベル情報を受信し、前記レベル情報は、前記ＵＥが通信を行う伝送速度を示すためのものであるステップと、
第１のサービスがトリガされると、予め設定されたサービスとレベル情報との間の対応関係から前記第１のサービスに対応する第１のレベル情報を照会するステップと、
前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて前記基地局と前記第１のサービスの通信を行うように指示するためのものであるステップと、を含む
ことを特徴とする通信方法。
【請求項１２】
前記ＵＥが前記第１のレベル情報によって示される伝送速度に応じて前記基地局と通信を行うとき、第２のサービスがトリガされると、予め設定されたサービスとレベル情報との間の対応関係から前記第２のサービスに対応する第２のレベル情報を照会するステップと、
前記第２のレベル情報が前記少なくとも１つのレベル情報に含まれている場合には、前記ＵＥが前記第１のレベル情報によって示される伝送速度に応じて前記基地局と前記第１のサービスの通信を行うとともに、前記第２のレベル情報によって示される伝送速度で第２のサービス命令を前記ＵＥに送信し、前記第２のサービス命令は、前記ＵＥが前記第２のレベル情報によって示される伝送速度に応じて前記基地局と前記第２のサービスの通信を行うように指示するためのものであるステップと、をさらに含む
ことを特徴とする請求項１１に記載の方法。
【請求項１３】
第３のサービスがトリガされると、予め設定されたサービスとレベル情報との間の対応関係から前記第３のサービスに対応する第３のレベル情報を照会するステップと、
前記第３のレベル情報が前記少なくとも１つのレベル情報に含まれていない場合には、前記ＵＥの現在のレベル情報によって示される伝送速度で第１のレベル切り替え命令を前記ＵＥに送信し、前記第１のレベル切り替え命令は、前記ＵＥが現在のレベル情報を前記第３のレベル情報に切り替えて、前記第３のレベル情報によって示される伝送速度で前記基地局と前記第３のサービスの通信を行うように指示するためのものであるステップと、をさらに含む
ことを特徴とする請求項１１に記載の方法。
【請求項１４】
前記第１のレベル切り替え命令を前記ＵＥに送信した後、
前記ＵＥが前記第３のレベル情報によって示される伝送速度で前記基地局と前記第３のサービスとの通信が終了すると、第２のレベル切り替え命令を前記ＵＥに送信し、前記第２のレベル切り替え命令は、前記ＵＥが前記第３のレベル情報を前記第１のレベル情報に切り替えるように指示するためのものであるステップと、
前記ＵＥが送信した切り替え成功メッセージを受信し、記憶された前記ＵＥに対応する前記第３のレベル情報を前記第１のレベル情報に切り替えるステップと、をさらに含む
ことを特徴とする請求項１３に記載の方法。
【請求項１５】
前記レベル情報は、さらに、前記ＵＥの通信遅延の上限を示す
ことを特徴とする請求項１１に記載の方法。
【請求項１６】
ユーザ機器ＵＥに用いられる通信方法であって、
前記ＵＥの少なくとも１つのレベル情報を基地局に送信し、前記レベル情報は、前記ＵＥが通信を行う伝送速度を示すためのものであるステップと、
前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるステップと、を含む
ことを特徴とする通信方法。
【請求項１７】
前記第１のレベル情報によって示される伝送速度に応じて前記基地局と前記第１のサービスの通信を行うとき、前記基地局が第２のレベル情報によって示される伝送速度で送信した第２のサービス命令が受信されると、前記第２のレベル情報が前記少なくとも１つのレベル情報に含まれているか否かを判断し、前記第２のレベル情報は、第２のサービスに対応するレベル情報であるステップと、
前記第２のレベル情報が前記少なくとも１つのレベル情報に含まれている場合には、前記第１のレベル情報によって示される伝送速度に応じて前記基地局と前記第１のサービス通信を行うとともに、前記第２のレベル情報によって示される伝送速度で前記基地局と前記第２のサービスの通信を行うステップと、をさらに含む
ことを特徴とする請求項１６に記載の方法。
【請求項１８】
前記基地局が現在のレベル情報によって示される伝送速度で送信した第１のレベル切り替え命令を受信し、前記第１のレベル切り替え命令が第３のレベル情報を携帯し、現在のレベル情報を前記第３のレベル情報に切り替えて、前記第３のレベル情報によって示される伝送速度で前記基地局と第３のサービスの通信を行うステップをさらに含む
ことを特徴とする請求項１６に記載の方法。
【請求項１９】
前記基地局が現在のレベル情報によって示される伝送速度で送信した第１のレベル切り替え命令を受信した後、
前記基地局が送信した第２のレベル切り替え命令が受信されると、前記第３のレベル情報を前記第１のレベル情報に切り替えるステップと、
切り替え成功メッセージを前記基地局に送信し、前記切り替え成功メッセージは、前記基地局が記憶された前記ＵＥに対応する前記第３のレベル情報を前記第１のレベル情報に切り替えるように指示するためのものであるステップと、をさらに含む
ことを特徴とする請求項１８に記載の方法。
【請求項２０】
前記レベル情報は、さらに、前記ＵＥの通信遅延の上限を示す
ことを特徴とする請求項１６に記載の方法。
【請求項２１】
ＵＥの少なくとも１つのレベル情報を基地局に送信し、前記レベル情報は、前記ＵＥが通信を行う伝送速度を示すためのものである送信モジュールと、
第１のサービスがトリガされると、前記ＵＥのサービスとレベル情報との間の対応関係から前記第１のサービスに対応する第１のレベル情報を照会する照会モジュールと、
前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものである通信モジュールと、を備える
ことを特徴とする通信装置。
【請求項２２】
前記照会モジュールは、さらに、前記基地局が前記第１のレベル情報によって示される伝送速度に応じて前記ＵＥと前記第１のサービスの通信を行うとき、第２のサービスがトリガされると、前記ＵＥのサービスとレベル情報との間の対応関係から前記第２のサービスに対応する第２のレベル情報を照会し、
前記通信モジュールは、さらに、前記第２のレベル情報が前記少なくとも１つのレベル情報に含まれている場合には、前記基地局が前記第１のレベル情報によって示される伝送速度に応じて前記ＵＥと通信を行うとともに、前記第２のレベル情報によって示される伝送速度で第２のサービス要求を前記基地局に送信し、前記第２のサービス要求は、前記基地局に前記第２のレベル情報によって示される伝送速度に応じて前記ＵＥと前記第２のサービスの通信を行うように要求するためのものである
ことを特徴とする請求項２１に記載の装置。
【請求項２３】
さらに、第３のサービスがトリガされると、前記ＵＥのサービスとレベル情報との間の対応関係から第３のサービスに対応する第３のレベル情報を照会する前記照会モジュールと、
前記第３のレベル情報が前記少なくとも１つのレベル情報に含まれていない場合には、前記ＵＥの現在のレベル情報を前記第３のレベル情報に切り替える切り替えモジュールと、
さらに、前記第３のレベル情報によって示される伝送速度で第３のサービス要求を前記基地局に送信し、前記第３のサービス要求が前記第３のレベル情報を携帯し、前記第３のサービスは、前記基地局に前記第３のレベル情報によって示される伝送速度に応じて前記ＵＥと前記第３のサービスの通信を行うように要求するためのものである前記通信モジュールと、をさらに備える
ことを特徴とする請求項２１に記載の装置。
【請求項２４】
前記切り替えモジュールは、さらに、前記基地局が前記第３のレベル情報によって示される伝送速度に応じて前記ＵＥと前記第３のサービスとの通信が終了すると、前記第３のレベル情報を前記第１のレベル情報に切り替え、
前記送信モジュールは、さらに、レベル切り替え要求を前記基地局に送信し、前記レベル切り替え要求は、前記基地局が記憶された前記ＵＥに対応する前記第３のレベル情報を前記第１のレベル情報に切り替えるように指示するためのものである
ことを特徴とする請求項２３に記載の装置。
【請求項２５】
前記レベル情報は、さらに、前記ＵＥの通信遅延の上限を示す
ことを特徴とする請求項２１に記載の装置。
【請求項２６】
ユーザ機器ＵＥが送信した少なくとも１つのレベル情報を受信し、前記レベル情報は、前記ＵＥが通信を行う伝送速度を示すためのものである受信モジュールと、
前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報である通信モジュールと、を備える
ことを特徴とする通信装置。
【請求項２７】
前記第１のレベル情報によって示される伝送速度に応じて前記ＵＥと前記第１のサービスの通信を行うとき、前記ＵＥが第２のレベル情報によって示される伝送速度で前記送信した第２のサービス要求が受信されると、第２のレベル情報が前記少なくとも１つのレベル情報に含まれているか否かを判断し、前記第２のレベル情報は、第２のサービスに対応するレベル情報である判断モジュールと、
さらに、前記第２のレベル情報が前記少なくとも１つのレベル情報に含まれている場合には、前記第１のレベル情報によって示される伝送速度に応じて前記ＵＥと前記第１のサービスの通信を行うとともに、前記第２のレベル情報によって示される伝送速度に応じて前記ＵＥと前記第２のサービスの通信を行う前記通信モジュールと、をさらに備える
ことを特徴とする請求項２６に記載の装置。
【請求項２８】
前記通信モジュールは、さらに、前記ＵＥが第３のレベル情報によって示される伝送速度で送信した第３のサービス要求が受信されると、前記第３のサービス要求が第３のレベル情報を携帯し、前記第３のレベル情報によって示される伝送速度に応じて前記ＵＥと第３のサービスの通信を行う
ことを特徴とする請求項２６に記載の装置。
【請求項２９】
前記ＵＥが送信したレベル切り替え要求が受信されると、記憶された前記ＵＥに対応する前記第３のレベル情報を前記第１のレベル情報に切り替える切り替えモジュールをさらに備える
ことを特徴とする請求項２８に記載の放置。
【請求項３０】
前記レベル情報は、さらに、前記ＵＥの通信遅延の上限を示す
ことを特徴とする請求項２６に記載の装置。
【請求項３１】
ＵＥが送信した少なくとも１つのレベル情報を受信し、前記レベル情報は、前記ＵＥが通信を行う伝送速度を示すためのものである受信モジュールと、
第１のサービスがトリガされると、予め設定されたサービスとレベル情報との間の対応関係から前記第１のサービスに対応する第１のレベル情報を照会する照会モジュールと、
前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて基地局と前記第１のサービスの通信を行うように指示するためのものである通信モジュールと、を備える
ことを特徴とする通信装置。
【請求項３２】
前記照会モジュールは、さらに、前記ＵＥが前記第１のレベル情報によって示される伝送速度に応じて前記基地局と通信を行うとき、第２のサービスがトリガされると、予め設定されたサービスとレベル情報との間の対応関係から前記第２のサービスに対応する第２のレベル情報を照会し、
前記通信モジュールは、さらに、前記第２のレベル情報が前記少なくとも１つのレベル情報に含まれている場合には、前記ＵＥが前記第１のレベル情報によって示される伝送速度に応じて前記基地局と前記第１のサービスの通信を行うとともに、前記第２のレベル情報によって示される伝送速度で第２のサービス命令を前記ＵＥに送信し、前記第２のサービス命令は、前記ＵＥが前記第２のレベル情報によって示される伝送速度に応じて前記基地局と前記第２のサービスの通信を行うように指示するためのものである
ことを特徴とする請求項３１に記載の装置。
【請求項３３】
また、第３のサービスがトリガされると、予め設定されたサービスとレベル情報との間の対応関係から前記第３のサービスに対応する第３のレベル情報を照会する前記照会モジュールと、
前記第３のレベル情報が前記少なくとも１つのレベル情報に含まれていない場合には、前記ＵＥの現在のレベル情報によって示される伝送速度で第１のレベル切り替え命令を前記ＵＥに送信し、前記第１のレベル切り替え命令は、前記ＵＥが現在のレベル情報を前記第３のレベル情報に切り替えて、前記第３のレベル情報によって示される伝送速度で前記基地局と前記第３のサービスの通信を行うように指示するためのものである送信モジュールと、をさらに備える
ことを特徴とする請求項３１に記載の装置。
【請求項３４】
前記送信モジュールは、さらに、前記ＵＥが前記第３のレベル情報によって示される伝送速度で前記基地局と前記第３のサービスとの通信が終了すると、第２のレベル切り替え命令を前記ＵＥに送信し、前記第２のレベル切り替え命令は、前記ＵＥが前記第３のレベル情報を前記第１のレベル情報に切り替えるように指示するためのものであり、
前記受信モジュールは、さらに、前記ＵＥが送信した切り替え成功メッセージを受信し、記憶された前記ＵＥに対応する前記第３のレベル情報を前記第１のレベル情報に切り替える
ことを特徴とする請求項３３に記載の装置。
【請求項３５】
前記レベル情報は、さらに、前記ＵＥの通信遅延の上限を示す
ことを特徴とする請求項３１に記載の装置。
【請求項３６】
ＵＥの少なくとも１つのレベル情報を基地局に送信し、前記レベル情報は、前記ＵＥが通信を行う伝送速度を示すためのものである送信モジュールと、
前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報である通信モジュールと、を備える
ことを特徴とする通信装置。
【請求項３７】
前記第１のレベル情報によって示される伝送速度に応じて前記基地局と前記第１のサービスの通信を行う過程では、前記基地局が第２のレベル情報によって示される伝送速度で送信した第２のサービス命令が受信されると、前記第２のレベル情報が前記少なくとも１つのレベル情報に含まれているか否かを判断し、前記第２のレベル情報は、第２のサービスに対応するレベル情報である判断モジュールと、
さらに、前記第２のレベル情報が前記少なくとも１つのレベル情報に含まれている場合には、前記第１のレベル情報によって示される伝送速度に応じて前記基地局と前記第１のサービスの通信を行うとともに、前記第２のレベル情報によって示される伝送速度で前記基地局と前記第２のサービスの通信を行う前記通信モジュールと、をさらに備える
ことを特徴とする請求項３６に記載の装置。
【請求項３８】
前記通信モジュールは、さらに、 前記基地局が現在のレベル情報によって示される伝送速度で送信した第１のレベル切り替え命令を受信し、 前記第１のレベル切り替え命令が第３のレベル情報を携帯し、現在のレベル情報を前記第３のレベル情報に切り替えて、前記第３のレベル情報によって示される伝送速度で前記基地局と第３のサービスの通信を行う
ことを特徴とする請求項３６に記載の装置。
【請求項３９】
前記基地局が送信した第２のレベル切り替え命令が受信されると、前記第３のレベル情報を前記第１のレベル情報に切り替える切り替えモジュールと、
さらに、切り替え成功メッセージを前記基地局に送信し、前記切り替え成功メッセージは、前記基地局が記憶された前記ＵＥに対応する前記第３のレベル情報を前記第１のレベル情報に切り替えるように指示するためのものである前記送信モジュールと、をさらに備える
ことを特徴とする請求項３８に記載の装置。
【請求項４０】
前記レベル情報は、さらに、前記ＵＥの通信遅延の上限を示す
ことを特徴とする請求項３６に記載の装置。
【請求項４１】
プロセッサーと、
プロセッサーで実行可能な命令を記憶するためのメモリと、を備え、
前記プロセッサーは、前記ＵＥの少なくとも１つのレベル情報を基地局に送信し、前記レベル情報は、ＵＥが通信を行う伝送速度を示すためのものであり、第１のサービスがトリガされると、前記ＵＥのサービスとレベル情報との間の対応関係から前記第１のサービスに対応する第１のレベル情報を照会し、前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものであるように構成される
ことを特徴とする通信装置。
【請求項４２】
プロセッサーと、
プロセッサーで実行可能な命令を記憶するためのメモリと、を備え、
前記プロセッサーは、ユーザ機器ＵＥが送信した少なくとも１つのレベル情報を受信し、前記レベル情報は、前記ＵＥが通信を行う伝送速度を示すためのものであり、前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報であるように構成される
ことを特徴とする通信装置。
【請求項４３】
プロセッサーと、
プロセッサーで実行可能な命令を記憶するためのメモリと、を備え、
前記プロセッサーは、ＵＥが送信した少なくとも１つのレベル情報を受信し、前記レベル情報は、前記ＵＥが通信を行う伝送速度を示すためのものであり、第１のサービスがトリガされると、予め設定されたサービスとレベル情報との間の対応関係から前記第１のサービスに対応する第１のレベル情報を照会し、前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて前記基地局と前記第１のサービスの通信を行うように指示するためのものであるように構成される
ことを特徴とする通信装置。
【請求項４４】
プロセッサーと、
プロセッサーで実行可能な命令を記憶するためのメモリと、を備え、
前記プロセッサーは、ＵＥの少なくとも１つのレベル情報を基地局に送信し、前記レベル情報は、前記ＵＥが通信を行う伝送速度を示すためのものであり、前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるように構成される
ことを特徴とする通信装置。
【発明の詳細な説明】
【技術分野】
【０００１】
当該出願は、出願番号が２０１６１１１８５６４４．８であって、出願日が２０１６年１２月２０日である中国特許出願を基礎として優先権を主張し、当該中国特許出願の内容全体は、本願発明に援用される。
【０００２】
本発明は、通信技術分野に関し、特に通信方法及び装置に関する。
【背景技術】
【０００３】
近年、ユーザ機器ＵＥに対して、より良好な通信サービスを提供するために、通信技術が急速に発展している。２Ｇ（ｔｈｅ  ２ｔｈ  Ｇｅｎｅｒａｔｉｏｎ、第２世代移動通信技術）から現在の４Ｇ（ｔｈｅ  ４ｔｈ  Ｇｅｎｅｒａｔｉｏｎ、第４世代移動通信技術）まで、ＵＥ（Ｕｓｅｒ  Ｅｑｕｉｐｍｅｎｔ、ユーザ機器）のサポート可能な伝送速度がますます高まっている。ＵＥの場合、伝送速度は製造メーカによりＵＥのチップに設定される。一般的には、ＵＥに設定されたレベル情報でこのＵＥの伝送速度が表示され、異なるレベル情報に対応する伝送速度がそれぞれ異なる。
【０００４】
現在、ＵＥが基地局と通信を行うとき、ＵＥは基地局からのレベル問い合わせ情報を受信し、予め設定された１つのレベル情報を基地局に返送して、基地局がＵＥのサポート可能な伝送速度の上限を確認し、ＵＥの伝送速度の上限に基づいて、ＵＥに伝送リソースを割り当てて、ＵＥとワイヤレスブロードバンドアクセスサービスの通信を行う。
【０００５】
本発明を実現する過程において、発明者は、従来技術に少なくとも以下の問題が存在することを見つけた。
【０００６】
現在、５Ｇ（ｔｈｅ  ５ｔｈ  Ｇｅｎｅｒａｔｉｏｎ、第５世代移動通信技術）の発展が必然的な成り行きになっており、５Ｇは、元のワイヤレスブロードバンドアクセスサービスに加えて、新しい高信頼性で低遅延サービスや、大規模な  ＩＴＯ（ｉｎｔｅｒｎｅｔ  ｏｆ  ｔｈｉｎｇｓ）アクセスサービスをさらに拡大した。しかし、新しいサービスとワイヤレスブロードバンドアクセスサービスは、伝送速度に対する要求がそれぞれまったく異なる。例えば、大規模なＩＴＯアクセスサービスの場合、高い伝送速度が必要としなく、低消費電力と長い待機時間を追求するので、元の１つのレベル情報が、実際のサービス要求に合致しないため、実際のサービスを実行する効果が低下される可能性が高い。
【発明の概要】
【発明が解決しようとする課題】
【０００７】
本発明は、従来技術に存在する問題を解決するために、通信方法及び装置を提供する。技術手段は、下記の通りである。
【課題を解決するための手段】
【０００８】
本発明の第１の態様によれば、ユーザ機器ＵＥに用いられる通信方法が提供され、前記方法は、
前記ＵＥの少なくとも１つのレベル情報を基地局に送信し、前記レベル情報は、前記ＵＥが通信を行う伝送速度を示すためのものであるステップと、
第１のサービスがトリガされると、前記ＵＥのサービスとレベル情報との間の対応関係から前記第１のサービスに対応する第１のレベル情報を照会するステップと、
前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものであるステップと、を含む。
【０００９】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【００１０】
一可能な実現形態では、前記方法は、
前記基地局が前記第１のレベル情報によって示される伝送速度に応じて前記ＵＥと前記第１のサービスの通信を行うとき、第２のサービスがトリガされると、前記ＵＥのサービスとレベル情報との間の対応関係から前記第２のサービスに対応する第２のレベル情報を照会するステップと、
前記第２のレベル情報が前記少なくとも１つのレベル情報に含まれている場合には、前記基地局が前記第１のレベル情報によって示される伝送速度に応じて前記ＵＥと通信を行うとともに、前記第２のレベル情報によって示される伝送速度で第２のサービス要求を前記基地局に送信し、前記第２のサービス要求は、前記基地局に前記第２のレベル情報によって示される伝送速度に応じて前記ＵＥと前記第２のサービスの通信を行うように要求するためのものであるステップと、をさらに含む。
【００１１】
一可能な実現形態では、前記方法は、
第３のサービスがトリガされると、前記ＵＥのサービスとレベル情報との間の対応関係から第３のサービスに対応する第３のレベル情報を照会するステップと、
前記第３のレベル情報が前記少なくとも１つのレベル情報に含まれていない場合には、前記ＵＥの現在のレベル情報を前記第３のレベル情報に切り替えるステップと、
前記第３のレベル情報によって示される伝送速度で第３のサービス要求を前記基地局に送信し、前記第３のサービス要求が前記第３のレベル情報を携帯し、前記第３のサービスは、前記基地局に前記第３のレベル情報によって示される伝送速度に応じて前記ＵＥと前記第３のサービスの通信を行うように要求するためのものであるステップと、をさらに含む。
【００１２】
一可能な実現形態では、前記第３のサービス要求を前記基地局に送信した後、前記方法は、
前記基地局が前記第３のレベル情報によって示される伝送速度に応じて前記ＵＥと前記第３のサービスとの通信が終了すると、前記第３のレベル情報を前記第１のレベル情報に切り替えるステップと、
レベル切り替え要求を前記基地局に送信し、前記レベル切り替え要求は、前記基地局に記憶された前記ＵＥに対応する前記第３のレベル情報を前記第１のレベル情報に切り替えるように指示するためのものであるステップと、をさらに含む。
【００１３】
一可能な実現形態では、前記レベル情報は、さらに、前記ＵＥの通信遅延の上限を示す。
【００１４】
本発明の第２の態様によれば、基地局に用いられる通信方法が提供され、前記方法は、
ユーザ機器ＵＥが送信した少なくとも１つのレベル情報を受信し、前記レベル情報は、前記ＵＥが通信を行う伝送速度を示すためのものであるステップと、
前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報であるステップと、を含む。
【００１５】
一可能な実現形態では、前記方法は、
前記第１のレベル情報によって示される伝送速度に応じて前記ＵＥと前記第１のサービスの通信を行うとき、前記ＵＥが第２のレベル情報によって示される伝送速度で送信した第２のサービス要求が受信されると、第２のレベル情報が前記少なくとも１つのレベル情報に含まれているか否かを判断し、前記第２のレベル情報は、第２のサービスに対応するレベル情報であるステップと、
前記第２のレベル情報が前記少なくとも１つのレベル情報に含まれている場合には、前記第１のレベル情報によって示される伝送速度に応じて前記ＵＥと前記第１のサービスの通信を行うとともに、前記第２のレベル情報によって示される伝送速度に応じて前記ＵＥと前記第２のサービスの通信を行うステップと、をさらに含む。
【００１６】
一可能な実現形態では、前記方法は、
前記ＵＥが第３のレベル情報によって示される伝送速度で送信した第３のサービス要求が受信されると、前記第３のサービス要求が前記第３のレベル情報を携帯し、前記第３のレベル情報によって示される伝送速度に応じて前記ＵＥと第３のサービスの通信を行うステップをさらに含む。
【００１７】
一可能な実現形態では、前記第３のレベル情報によって示される伝送速度に応じて前記ＵＥと第３のサービスの通信を行った後、前記方法は、
前記ＵＥが送信したレベル切り替え要求が受信されると、記憶された前記ＵＥに対応する前記第３のレベル情報を前記第１のレベル情報に切り替えるステップをさらに含む。
【００１８】
一可能な実現形態では、前記レベル情報は、さらに、前記ＵＥの通信遅延の上限を示す。
【００１９】
本発明の第３の態様によれば、基地局に用いられる通信方法が提供され、前記方法は、
ＵＥが送信した少なくとも１つのレベル情報を受信し、前記レベル情報は、前記ＵＥが通信を行う伝送速度を示すためのものであるステップと、
第１のサービスがトリガされると、予め設定されたサービスとレベル情報との間の対応関係から前記第１のサービスに対応する第１のレベル情報を照会するステップと、
前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて前記基地局と前記第１のサービスの通信を行うように指示するためのものであるステップと、を含む。
【００２０】
一可能な実現形態では、前記方法は、
前記ＵＥが前記第１のレベル情報によって示される伝送速度に応じて前記基地局と通信を行う過程では、第２のサービスがトリガされると、予め設定されたサービスとレベル情報との間の対応関係から前記第２のサービスに対応する第２のレベル情報を照会するステップと、
前記第２のレベル情報が前記少なくとも１つのレベル情報に含まれている場合には、前記ＵＥが前記第１のレベル情報によって示される伝送速度に応じて前記基地局と前記第１のサービスの通信を行うとともに、前記第２のレベル情報によって示される伝送速度で第２のサービス命令を前記ＵＥに送信し、前記第２のサービス命令は、前記ＵＥが前記第２のレベル情報によって示される伝送速度に応じて前記基地局と前記第２のサービスの通信を行うように指示するためのものであるステップと、をさらに含む。
【００２１】
一可能な実現形態では、前記方法は、
第３のサービスがトリガされると、予め設定されたサービスとレベル情報との間の対応関係から前記第３のサービスに対応する第３のレベル情報を照会するステップと、
前記第３のレベル情報が前記少なくとも１つのレベル情報に含まれていない場合には、前記ＵＥの現在のレベル情報によって示される伝送速度で第１のレベル切り替え命令を前記ＵＥに送信し、前記第１のレベル切り替え命令は、前記ＵＥが現在のレベル情報を前記第３のレベル情報に切り替えて、前記第３のレベル情報によって示される伝送速度で前記基地局と前記第３のサービスの通信を行うように指示するためのものであるステップと、をさらに含む。
【００２２】
一可能な実現形態では、前記第１のレベル切り替え命令を前記ＵＥに送信した後、前記方法は、
前記ＵＥが前記第３のレベル情報によって示される伝送速度で前記基地局と前記第３のサービスとの通信が終了すると、第２のレベル切り替え命令を前記ＵＥに送信し、前記第２のレベル切り替え命令は、前記ＵＥが前記第３のレベル情報を前記第１のレベル情報に切り替えるように指示するためのものであるステップと、
前記ＵＥが送信した切り替え成功メッセージを受信し、記憶された前記ＵＥに対応する前記第３のレベル情報を前記第１のレベル情報に切り替えるステップと、をさらに含む。
【００２３】
一可能な実現形態では、前記レベル情報は、さらに、前記ＵＥの通信遅延の上限を示す。
【００２４】
本発明の第４の態様によれば、ユーザ機器ＵＥに用いられる通信方法が提供され、前記方法は、
前記ＵＥの少なくとも１つのレベル情報を基地局に送信し、前記レベル情報は、前記ＵＥが通信を行う伝送速度を示すためのものであるステップと、
前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるステップと、を含む。
【００２５】
一可能な実現形態では、前記方法は、
前記第１のレベル情報によって示される伝送速度に応じて前記基地局と前記第１のサービスの通信を行う過程では、前記基地局が第２のレベル情報によって示される伝送速度で送信した第２のサービス命令が受信されると、前記第２のレベル情報が前記少なくとも１つのレベル情報に含まれているか否かを判断し、前記第２のレベル情報は、第２のサービスに対応するレベル情報であるステップと、
前記第２のレベル情報が前記少なくとも１つのレベル情報に含まれている場合には、前記第１のレベル情報によって示される伝送速度に応じて前記基地局と前記第１のサービス通信を行うとともに、前記第２のレベル情報によって示される伝送速度で前記基地局と前記第２のサービスの通信を行うステップと、をさらに含む。
【００２６】
一可能な実現形態では、前記方法は、
前記基地局が現在のレベル情報によって示される伝送速度で送信した第１のレベル切り替え命令を受信し、前記第１のレベル切り替え命令が第３のレベル情報を携帯し、現在のレベル情報を前記第３のレベル情報に切り替えて、前記第３のレベル情報によって示される伝送速度で前記基地局と第３のサービスの通信を行うステップをさらに含む。
【００２７】
一可能な実現形態では、前記基地局が現在のレベル情報によって示される伝送速度で送信した第１のレベル切り替え命令を受信した後、前記方法は、
前記基地局が送信した第２のレベル切り替え命令が受信されると、前記第３のレベル情報を前記第１のレベル情報に切り替えるステップと、
切り替え成功メッセージを前記基地局に送信し、前記切り替え成功メッセージは、前記基地局が記憶された前記ＵＥに対応する前記第３のレベル情報を前記第１のレベル情報に切り替えるように指示するためのものであるステップと、をさらに含む。
【００２８】
一可能な実現形態では、前記レベル情報は、さらに、前記ＵＥの通信遅延の上限を示す。
【００２９】
本発明の第５の態様によれば、通信装置が提供され、前記装置は、
ＵＥの少なくとも１つのレベル情報を基地局に送信し、前記レベル情報は、前記ＵＥが通信を行う伝送速度を示すためのものである送信モジュールと、
第１のサービスがトリガされると、前記ＵＥのサービスとレベル情報との間の対応関係から前記第１のサービスに対応する第１のレベル情報を照会する照会モジュールと、
前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものである通信モジュールと、を備える。
【００３０】
一可能な実現形態では、前記照会モジュールは、さらに、前記基地局が前記第１のレベル情報によって示される伝送速度に応じて前記ＵＥと前記第１のサービスの通信を行うとき、第２のサービスがトリガされると、前記ＵＥのサービスとレベル情報との間の対応関係から前記第２のサービスに対応する第２のレベル情報を照会し、
前記通信モジュールは、さらに、前記第２のレベル情報が前記少なくとも１つのレベル情報に含まれている場合には、前記基地局が前記第１のレベル情報によって示される伝送速度に応じて前記ＵＥと通信を行うとともに、前記第２のレベル情報によって示される伝送速度で第２のサービス要求を前記基地局に送信し、前記第２のサービス要求は、前記基地局に前記第２のレベル情報によって示される伝送速度に応じて前記ＵＥと前記第２のサービスの通信を行うように要求するためのものである。
【００３１】
一可能な実現形態では、前記装置は、さらに、
第３のサービスがトリガされると、前記ＵＥのサービスとレベル情報との間の対応関係から第３のサービスに対応する第３のレベル情報を照会する前記照会モジュールと、
前記第３のレベル情報が前記少なくとも１つのレベル情報に含まれていない場合には、前記ＵＥの現在のレベル情報を前記第３のレベル情報に切り替える切り替えモジュールと、
さらに、前記第３のレベル情報によって示される伝送速度で第３のサービス要求を前記基地局に送信し、前記第３のサービス要求が前記第３のレベル情報を携帯し、前記第３のサービスは、前記基地局に前記第３のレベル情報によって示される伝送速度に応じて前記ＵＥと前記第３のサービスの通信を行うように要求するためのものである前記通信モジュールと、をさらに備える。
【００３２】
一可能な実現形態では、前記切り替えモジュールは、さらに、前記基地局が前記第３のレベル情報によって示される伝送速度に応じて前記ＵＥと前記第３のサービスとの通信が終了すると、前記第３のレベル情報を前記第１のレベル情報に切り替え、
前記送信モジュールは、さらに、ベル切り替え要求を前記基地局に送信し、前記レベル切り替え要求は、前記基地局に記憶された前記ＵＥに対応する前記第３のレベル情報を前記第１のレベル情報に切り替えるように指示するためのものである。
【００３３】
一可能な実現形態では、前記レベル情報は、さらに、前記ＵＥの通信遅延の上限を示す。
【００３４】
本発明の第６の態様によれば、通信装置が提供され、前記装置は、
ユーザ機器ＵＥが送信した少なくとも１つのレベル情報を受信し、前記レベル情報は、前記ＵＥが通信を行う伝送速度を示すためのものである受信モジュールと、
前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報である通信モジュールと、を備える。
【００３５】
一可能な実現形態では、前記装置は、
前記第１のレベル情報によって示される伝送速度に応じて前記ＵＥと前記第１のサービスの通信を行うとき、前記ＵＥが第２のレベル情報によって示される伝送速度で前記送信した第２のサービス要求が受信されると、第２のレベル情報が前記少なくとも１つのレベル情報に含まれているか否かを判断し、前記第２のレベル情報は、第２のサービスに対応するレベル情報である判断モジュールと、
さらに、前記第２のレベル情報が前記少なくとも１つのレベル情報に含まれている場合には、前記第１のレベル情報によって示される伝送速度に応じて前記ＵＥと前記第１のサービスの通信を行うとともに、前記第２のレベル情報によって示される伝送速度に応じて前記ＵＥと前記第２のサービスの通信を行う前記通信モジュールと、をさらに備える。
【００３６】
一可能な実現形態では、前記通信モジュールは、さらに、前記ＵＥが第３のレベル情報によって示される伝送速度で送信した第３のサービス要求が受信されると、前記第３のサービス要求が第３のレベル情報を携帯し、前記第３のレベル情報によって示される伝送速度に応じて前記ＵＥと第３のサービスの通信を行う。
【００３７】
一可能な実現形態では、前記装置は、
前記ＵＥが送信したレベル切り替え要求が受信されると、記憶された前記ＵＥに対応する前記第３のレベル情報を前記第１のレベル情報に切り替える切り替えモジュールをさらに備える。
【００３８】
一可能な実現形態では、前記レベル情報は、さらに、前記ＵＥの通信遅延の上限を示す。
【００３９】
本発明の第７の態様によれば、通信装置が提供され、前記装置は、
ＵＥが送信した少なくとも１つのレベル情報を受信し、前記レベル情報は、前記ＵＥが通信を行う伝送速度を示すためのものである受信モジュールと、
第１のサービスがトリガされると、予め設定されたサービスとレベル情報との間の対応関係から前記第１のサービスに対応する第１のレベル情報を照会する照会モジュールと、
前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて基地局と前記第１のサービスの通信を行うように指示するためのものである通信モジュールと、を備える。
【００４０】
一可能な実現形態では、前記照会モジュールは、さらに、前記ＵＥが前記第１のレベル情報によって示される伝送速度に応じて前記基地局と通信を行う過程では、第２のサービスがトリガされると、予め設定されたサービスとレベル情報との間の対応関係から前記第２のサービスに対応する第２のレベル情報を照会し、
前記通信モジュールは、さらに、前記第２のレベル情報が前記少なくとも１つのレベル情報に含まれている場合には、前記ＵＥが前記第１のレベル情報によって示される伝送速度に応じて前記基地局と前記第１のサービスの通信を行うとともに、前記第２のレベル情報によって示される伝送速度で第２のサービス命令を前記ＵＥに送信し、前記第２のサービス命令は、前記ＵＥが前記第２のレベル情報によって示される伝送速度に応じて前記基地局と前記第２のサービスの通信を行うように指示するためのものである。
【００４１】
一可能な実現形態では、前記装置は、
また、第３のサービスがトリガされると、予め設定されたサービスとレベル情報との間の対応関係から前記第３のサービスに対応する第３のレベル情報を照会する前記照会モジュールと、
前記第３のレベル情報が前記少なくとも１つのレベル情報に含まれていない場合には、前記ＵＥの現在のレベル情報によって示される伝送速度で第１のレベル切り替え命令を前記ＵＥに送信し、前記第１のレベル切り替え命令は、前記ＵＥが現在のレベル情報を前記第３のレベル情報に切り替えて、前記第３のレベル情報によって示される伝送速度で前記基地局と前記第３のサービスの通信を行うように指示するためのものである送信モジュールと、をさらに備える。
【００４２】
一可能な実現形態では、前記送信モジュールは、さらに、前記ＵＥが前記第３のレベル情報によって示される伝送速度で前記基地局と前記第３のサービスとの通信が終了すると、第２のレベル切り替え命令を前記ＵＥに送信し、前記第２のレベル切り替え命令は、前記ＵＥが前記第３のレベル情報を前記第１のレベル情報に切り替えるように指示するためのものであり、
前記受信モジュールは、さらに、前記ＵＥが送信した切り替え成功メッセージを受信し、記憶された前記ＵＥに対応する前記第３のレベル情報を前記第１のレベル情報に切り替える。
【００４３】
一可能な実現形態では、前記レベル情報は、さらに、前記ＵＥの通信遅延の上限を示す。
【００４４】
本発明の第８の態様によれば、通信装置が提供され、前記装置は、
ＵＥの少なくとも１つのレベル情報を基地局に送信し、前記レベル情報は、前記ＵＥが通信を行う伝送速度を示すためのものである送信モジュールと、
前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報である通信モジュールと、を備える。
【００４５】
一可能な実現形態では、前記装置は、
前記第１のレベル情報によって示される伝送速度に応じて前記基地局と前記第１のサービスの通信を行う過程では、前記基地局が第２のレベル情報によって示される伝送速度で送信した第２のサービス命令が受信されると、前記第２のレベル情報が前記少なくとも１つのレベル情報に含まれているか否かを判断し、前記第２のレベル情報は、第２のサービスに対応するレベル情報である判断モジュールと、
さらに、前記第２のレベル情報が前記少なくとも１つのレベル情報に含まれている場合には、前記第１のレベル情報によって示される伝送速度に応じて前記基地局と前記第１のサービスの通信を行うとともに、前記第２のレベル情報によって示される伝送速度で前記基地局と前記第２のサービスの通信を行う前記通信モジュールと、をさらに備える。
【００４６】
一可能な実現形態では、前記通信モジュールは、さらに、 前記基地局が現在のレベル情報によって示される伝送速度で送信した第１のレベル切り替え命令を受信し、 前記第１のレベル切り替え命令が第３のレベル情報を携帯し、現在のレベル情報を前記第３のレベル情報に切り替えて、前記第３のレベル情報によって示される伝送速度で前記基地局と第３のサービスの通信を行う。
【００４７】
一可能な実現形態では、前記装置は、
前記基地局が送信した第２のレベル切り替え命令が受信されると、前記第３のレベル情報を前記第１のレベル情報に切り替える切り替えモジュールと、
さらに、切り替え成功メッセージを前記基地局に送信し、前記切り替え成功メッセージは、前記基地局が記憶された前記ＵＥに対応する前記第３のレベル情報を前記第１のレベル情報に切り替えるように指示するためのものである前記送信モジュールと、をさらに備える。
【００４８】
一可能な実現形態では、前記レベル情報は、さらに、前記ＵＥの通信遅延の上限を示す。
【００４９】
本発明の第９の態様によれば、通信装置が提供され、前記装置は、
プロセッサーと、
プロセッサーで実行可能な命令を記憶するためのメモリと、を備え、
前記プロセッサーは、前記ＵＥの少なくとも１つのレベル情報を基地局に送信し、前記レベル情報は、ＵＥが通信を行う伝送速度を示すためのものであり、第１のサービスがトリガされると、前記ＵＥのサービスとレベル情報との間の対応関係から前記第１のサービスに対応する第１のレベル情報を照会し、前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものであるように構成される。
【００５０】
本発明の第１０の態様によれば、通信装置が提供され、前記装置は、
プロセッサーと、
プロセッサーで実行可能な命令を記憶するためのメモリと、を備え、
前記プロセッサーは、ユーザ機器ＵＥが送信した少なくとも１つのレベル情報を受信し、前記レベル情報は、前記ＵＥが通信を行う伝送速度を示すためのものであり、前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報であるように構成される。
【００５１】
本発明の第１１の態様によれば、通信装置が提供され、前記装置は、
プロセッサーと、
プロセッサーで実行可能な命令を記憶するためのメモリと、を備え、
前記プロセッサーは、ＵＥが送信した少なくとも１つのレベル情報を受信し、前記レベル情報は、前記ＵＥが通信を行う伝送速度を示すためのものであり、第１のサービスがトリガされると、予め設定されたサービスとレベル情報との間の対応関係から前記第１のサービスに対応する第１のレベル情報を照会し、前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて前記基地局と前記第１のサービスの通信を行うように指示するためのものであるように構成される。
【００５２】
本発明の第１２の態様によれば、通信装置が提供され、前記装置は、
プロセッサーと、
プロセッサーで実行可能な命令を記憶するためのメモリと、を備え、
前記プロセッサーは、ＵＥの少なくとも１つのレベル情報を基地局に送信し、前記レベル情報は、前記ＵＥが通信を行う伝送速度を示すためのものであり、前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるように構成される。
【図面の簡単な説明】
【００５３】
以下、本発明の実施例に係る技術手段をさらに明瞭に説明するために、実施例の記載に使用する必要がある図面に対して簡単に紹介する。なお、以下の記載における図面はただ本発明の一部の実施例に過ぎず、当業者の場合、創造的な労働を付与しない前提で、これらの図面によって他の図面を得ることができる。
【図１】一例示的な実施例に係る通信方法を示すフローチャートである。
【図２】一例示的な実施例に係る通信方法を示すフローチャートである。
【図３】一例示的な実施例に係る通信方法を示すフローチャートである。
【図４】一例示的な実施例に係る通信方法を示すフローチャートである。
【図５】一例示的な実施例に係る通信方法を示すフローチャートである。
【図６】一例示的な実施例に係る通信方法を示すフローチャートである。
【図７】一例示的な実施例に係る通信方法を示すフローチャートである。
【図８】一例示的な実施例に係る通信方法を示すフローチャートである。
【図９Ａ】一例示的な実施例に係る通信装置を示すブロック図である。
【図９Ｂ】一例示的な実施例に係る通信装置を示すブロック図である。
【図１０Ａ】一例示的な実施例に係る通信装置を示すブロック図である。
【図１０Ｂ】一例示的な実施例に係る通信装置を示すブロック図である。
【図１０Ｃ】一例示的な実施例に係る通信装置を示すブロック図である。
【図１１Ａ】一例示的な実施例に係る通信装置を示すブロック図である。
【図１１Ｂ】一例示的な実施例に係る通信装置を示すブロック図である。
【図１２Ａ】一例示的な実施例に係る通信装置を示すブロック図である。
【図１２Ｂ】一例示的な実施例に係る通信装置を示すブロック図である。
【図１２Ｃ】一例示的な実施例に係る通信装置を示すブロック図である。
【図１３】一例示的な実施例に係る基地局の構成を示す図である。
【図１４】一例示的な実施例に係る通信装置１４００を示すブロック図である。
【発明を実施するための形態】
【００５４】
本発明の目的、技術手段、及び利点をより明確にするために、以下、図面を参照しながら、本発明の実施形態についてより詳細に説明する。
【００５５】
図１は、一例示的な実施例に係る通信方法を示すフローチャートである。図１に示すように、ユーザ機器ＵＥに用いられる実施例であって、具体的には、下記のステップが含まれる。
【００５６】
ステップ１０１において、ＵＥの少なくとも１つのレベル情報を基地局に送信し、レベル情報は、ＵＥが通信を行う伝送速度を示すためのものである。
【００５７】
ステップ１０２において、第１のサービスがトリガされると、ＵＥのサービスとレベル情報との間の対応関係から第１のサービスに対応する第１のレベル情報を照会する。
【００５８】
ステップ１０３において、第１のレベル情報が少なくとも１つのレベル情報に含まれている場合には、第１のレベル情報によって示される伝送速度で第１のサービス要求を基地局に送信し、第１のサービス要求は、基地局に第１のレベル情報によって示される伝送速度に応じてＵＥと第１のサービスの通信を行うように要求するためのものである。
【００５９】
従来技術では、元の１つのレベル情報が、実際のサービスの要求に合致しなくいため、実際のサービスを実行する効果が低下される可能性が高い。
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【００６０】
一可能な実現形態では、基地局が第１のレベル情報によって示される伝送速度に応じてＵＥと第１のサービスの通信を行うとき、第２のサービスがトリガされると、ＵＥのサービスとレベル情報との間の対応関係から第２のサービスに対応する第２のレベル情報を照会し、
第２のレベル情報が少なくとも１つのレベル情報に含まれている場合には、基地局が第１のレベル情報によって示される伝送速度に応じてＵＥと第１のサービスの通信を行うとともに、第２のレベル情報によって示される伝送速度で第２のサービス要求を基地局に送信し、第２のサービス要求は、基地局に第２のレベル情報によって示される伝送速度でＵＥと第２のサービスの通信を行うように要求するためのものである。
【００６１】
一可能な実現形態では、前記方法は、
第３のサービスがトリガされると、ＵＥのサービスとレベル情報との間の対応関係から第３のサービスに対応する第３のレベル情報を照会するステップと、
第３のレベル情報が少なくとも１つのレベル情報に含まれていない場合には、ＵＥの現在のレベル情報を第３のレベル情報に切り替えるステップと、
第３のレベル情報によって示される伝送速度で第３のサービス要求を基地局に送信し、第３のサービス要求が第３のレベル情報を携帯し、第３のサービス要求は、基地局に第３のレベル情報によって示される伝送速度に応じてＵＥと第３のサービスの通信を行うように要求するためのものであるステップと、をさらに含む。
【００６２】
一可能な実現形態では、第３のサービス要求を基地局に送信した後、前記方法は、
基地局が第３のレベル情報によって示される伝送速度に応じてＵＥと第３のサービスとの通信が終了すると、第３のレベル情報を第１のレベル情報に切り替えるステップと、
レベル切り替え要求を基地局に送信し、レベル切り替え要求は、基地局に記憶されたＵＥに対応する第３のレベル情報を第１のレベル情報に切り替えるように指示するためのものであるステップと、をさらに含む。
【００６３】
一可能な実現形態では、レベル情報は、さらに、ＵＥの通信遅延の上限を示す。
【００６４】
上記の選択可能な技術手段のすべては、任意に組み合わせて本発明を構成する選択可能な実施例を採用できる。ここでは、詳細な説明を省略する。
【００６５】
図２は、一例示的な実施例に係る通信方法を示すフローチャートである。図２に示すように、基地局に用いられる実施例であって、具体的には、下記のステップが含まれる。
【００６６】
ステップ２０１において、ユーザ機器ＵＥが送信した少なくとも１つのレベル情報を受信し、レベル情報は、ＵＥが通信を行う伝送速度を示すためのものである。
【００６７】
ステップ２０２において、ＵＥが第１のレベル情報によって示される伝送速度で送信した第１のサービス要求を受信し、第１のレベル情報が少なくとも１つのレベル情報に含まれている場合には、第１のレベル情報によって示される伝送速度に応じてＵＥと第１のサービスの通信を行い、第１のレベル情報は、第１のサービスに対応するレベル情報である。
【００６８】
従来技術では、元の１つのレベル情報が、実際のサービスの要求に合致しないため、実際のサービスを実行する効果が低下される可能性が高い。
【００６９】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス需要を満足できる。
【００７０】
一可能な実現形態では、前記方法は、
第１のレベル情報によって示される伝送速度に応じてＵＥと第１のサービスの通信を行うとき、ＵＥが第２のレベル情報によって示される伝送速度で送信した第２のサービス要求が受信されると、第２のレベル情報が少なくとも１つのレベル情報に含まれているか否かを判断し、第２のレベル情報は、第２のサービスに対応するレベル情報であるステップと、
第２のレベル情報が少なくとも１つのレベル情報に含まれている場合には、第１のレベル情報によって示される伝送速度に応じてＵＥと第１のサービスの通信を行うとともに、第２のレベル情報によって示される伝送速度に応じてＵＥと第２のサービスの通信を行うステップと、をさらに含む。
【００７１】
一可能な実現形態では、前記方法は、
ＵＥが第３のレベル情報によって示される伝送速度で送信した第３のサービス要求が受信されると、第３のサービス要求が第３のレベル情報を携帯し、第３のレベル情報によって示される伝送速度に応じてＵＥと第３のサービスの通信を行うステップをさらに含む。
【００７２】
一可能な実現形態では、第３のレベル情報によって示される伝送速度に応じてＵＥと第３のサービスの通信を行った後、前記方法は、
ＵＥが送信したレベル切り替え要求が受信されると、記憶されたＵＥに対応する第３のレベル情報を第１のレベル情報に切り替えるステップををさらに含む。
【００７３】
一可能な実現形態では、レベル情報は、さらに、ＵＥの通信遅延の上限を示す。
【００７４】
上記の選択可能な技術手段のすべては、任意に組み合わせて本発明を構成する選択可能な実施例を採用できる。ここでは、詳細な説明を省略する。
【００７５】
図３は、一例示的な実施例に係る通信方法を示すフローチャートである。図３に示すように、基地局に用いられる実施例であって、具体的には、下記のステップが含まれる。
【００７６】
ステップ３０１において、ＵＥが送信した少なくとも１つのレベル情報を受信し、レベル情報は、ＵＥが通信を行う伝送速度を示すためのものである。
【００７７】
ステップ３０２において、第１のサービスがトリガされると、予め設定されたサービスとレベル情報との間の対応関係から第１のサービスに対応する第１のレベル情報を照会する。
【００７８】
ステップ３０３において、第１のレベル情報が少なくとも１つのレベル情報に含まれている場合には、第１のレベル情報によって示される伝送速度で第１のサービス命令をＵＥに送信し、第１のサービス命令は、ＵＥが第１のレベル情報によって示される伝送速度に応じて基地局と第１のサービスの通信を行うように指示するためのものである。
【００７９】
従来技術では、元の１つのレベル情報が、実際のサービスの要求に合致しないため、実際のサービスを実行する効果が低下される可能性が高い。
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【００８０】
一可能な実現形態では、前記方法は、
ＵＥが第１のレベル情報によって示される伝送速度に応じて基地局と通信を行うとき、第２のサービスがトリガされると、予め設定されたサービスとレベル情報との間の対応関係から第２のサービスに対応する第２のレベル情報を照会するステップと、
第２のレベル情報が少なくとも１つのレベル情報に含まれている場合には、ＵＥが第１のレベル情報によって示される伝送速度に応じて基地局と第１のサービスの通信を行うとともに、第２のレベル情報によって示される伝送速度で第２のサービス命令をＵＥに送信し、第２のサービス命令は、ＵＥが第２のレベル情報によって示される伝送速度に応じて基地局と第２のサービスの通信を行うように指示するためのものであるステップと、をさらに含む。
【００８１】
一可能な実現形態では、前記方法は、
第３のサービスがトリガされると、予め設定されたサービスとレベル情報との間の対応関係から第３のサービスに対応する第３のレベル情報を照会するステップと、
第３のレベル情報が少なくとも１つのレベル情報に含まれていない場合には、ＵＥの現在のレベル情報によって示される伝送速度で第１のレベル切り替え命令をＵＥに送信し、第１のレベル切り替え命令は、ＵＥが現在のレベル情報を第３のレベル情報に切り替えて、第３のレベル情報によって示される伝送速度で基地局と第３のサービスの通信を行うように指示するためのものであるステップと、をさらに含む。
【００８２】
一可能な実現形態では、第１のレベル切り替え命令をＵＥに送信した後、前記方法は、
ＵＥが第３のレベル情報によって示される伝送速度で基地局と第３のサービスとの通信が終了すると、第２のレベル切り替え命令をＵＥに送信し、第２のレベル切り替え命令は、ＵＥが第３のレベル情報を第１のレベル情報に切り替えるように指示するためのものであるステップと、
ＵＥが送信した切り替え成功メッセージを受信し、記憶されたＵＥに対応する第３のレベル情報を第１のレベル情報に切り替えるステップと、をさらに含む。
【００８３】
一可能な実現形態では、レベル情報は、さらに、ＵＥの通信遅延の上限を示す。
【００８４】
上記の選択可能な技術手段のすべては、任意に組み合わせて本発明を構成する選択可能な実施例を採用できる。ここでは、詳細な説明を省略する。
【００８５】
図４は、一例示的な実施例に係る通信方法を示すフローチャートである。図４に示すように、ユーザ機器ＵＥに用いられる実施例であって、具体的には、下記のステップが含まれる。
【００８６】
ステップ４０１において、ＵＥの少なくとも１つのレベル情報を基地局に送信し、レベル情報は、ＵＥが通信を行う伝送速度を示すためのものである。
【００８７】
ステップ４０２において、基地局が第１のレベル情報によって示される伝送速度で送信した第１のサービス命令を受信し、第１のレベル情報が少なくとも１つのレベル情報に含まれている場合には、第１のレベル情報によって示される伝送速度に応じて基地局と第１のサービスの通信を行い、第１のレベル情報は、第１のサービスに対応するレベル情報である。
【００８８】
一可能な実現形態では、前記方法は、
第１のレベル情報によって示される伝送速度に応じて基地局と第１のサービスの通信を行うとき、基地局が第２のレベル情報によって示される伝送速度で送信した第２のサービス命令が受信されると、第２のレベル情報が少なくとも１つのレベル情報に含まれているか否かを判断し、第２のレベル情報は、第２のサービスに対応するレベル情報であるステップと、
第２のレベル情報が少なくとも１つのレベル情報に含まれている場合には、第１のレベル情報によって示される伝送速度に応じて基地局と通信を行うとともに、第２のレベル情報によって示される伝送速度で基地局と第２のサービスの通信を行うステップと、をさらに含む。
【００８９】
従来技術では、元の１つのレベル情報が、実際のサービスの要求に合致しないため、実際のサービスを実行する効果が低下される可能性が高い。
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【００９０】
一可能な実現形態では、前記方法は、
基地局が現在のレベル情報によって示される伝送速度で送信した第１のレベル切り替え命令を受信し、第１のレベル切り替え命令が第３のレベル情報を携帯し、現在のレベル情報を第３のレベル情報に切り替えて、第３のレベル情報によって示される伝送速度で基地局と第３のサービスの通信を行うステップをさらに含む。
【００９１】
一可能な実現形態では、基地局が現在のレベル情報によって示される伝送速度で送信した第１のレベル切り替え命令を受信した後、前記方法は、
基地局が送信した第２のレベル切り替え命令が受信されると、第３のレベル情報を第１のレベル情報に切り替えるステップと、
切り替え成功メッセージを基地局に送信し、切り替え成功メッセージは、基地局が記憶されたＵＥに対応する第３のレベル情報を第１のレベル情報に切り替えるように指示するためのものであるステップと、をさらに含む。
【００９２】
一可能な実現形態では、レベル情報は、さらに、ＵＥの通信遅延の上限を示す。
【００９３】
上記の選択可能な技術手段のすべては、任意に組み合わせて本発明を構成する選択可能な実施例を採用できる。ここでは、詳細な説明を省略する。
【００９４】
実際の通信において、１つのサービスは、ＵＥでトリガされることができ、また、基地局でトリガされることもできる。例えば、ユーザがＵＥでビデオリンクをトリガすると、ＵＥがこのビデオリンクに対するデータ伝送要求を基地局に送信し、又は、基地局が、サーバーがこのＵＥにプッシュしたデータを受信して、このプッシュされたデータをこのＵＥに転送する。本発明の実施例では、２つのトリガについてそれぞれ説明する。以下、図５及び図６に示す実施例によって、ＵＥでサービスがトリガされることを説明し、図７及び図８に示す実施例によって、基地局でサービスがトリガされることを説明する。
【００９５】
例えば、図５は、一例示的な実施例に係る通信方法を示すフローチャートである。図５に示すように、基地局とユーザ機器ＵＥとの間のインタラクションに用いられる実施例であって、インタラクションにおいて、異なるサービスが並列に行われることをサポートし、具体的には、下記のステップが含まれる。
【００９６】
ステップ５０１において、ＵＥがＵＥの少なくとも１つのレベル情報を基地局に送信する。
【００９７】
レベル情報は、ＵＥが通信を行う伝送速度を示すためのものであり、この伝送速度は、アップリンク伝送速度とダウンリンク伝送速度を含む。一般的には、レベル情報は製造メーカーによりＵＥのチップに設定される。本発明では、レベル情報に対してさらなる限定をしない。例えば、レベル情報が、変調方法や通信遅延の上限などを示してもよい。レベル情報１及びレベル情報２を例として、レベル情報１によって示されるダウンリンク伝送速度が最大で１０Ｍｂｐｓであり、アップリンク伝送速度が最大で５Ｍｂｐｓであり、変調方法は１６ＱＡＭ（１６  Ｑｕａｄｒａｔｕｒｅ  Ａｍｐｌｉｔｕｄｅ  Ｍｏｄｕｌａｔｉｏｎ、１６シンボル直交振幅変調）であってもよく、レベル情報２によって示されるダウンリンク伝送速度は最大で５０Ｍｂｐｓであり、アップリンク伝送速度は最大で２５Ｍｂｐｓであり、変調方法は１６ＱＡＭである。
【００９８】
本発明の実施例では、サービスとレベル情報との対応関係は、このＵＥのすべてのレベル情報及び対応するサービスを含む。また、サービスとレベル情報との対応関係、及び送信しようとする少なくとも１つのレベル情報は、ＵＥに予め設定されているため、ＵＥは送信しようとする少なくとも１つのレベル情報を読み取って、少なくとも１つのレベル情報を基地局に送信することで、ＵＥと基地局がこのＵＥの現在の使用しているレベル情報を確認できる。本発明の実施例では、サービスとレベル情報との対応関係、及び送信しようとする少なくとも１つのレベル情報に対して限定をしない。例えば、送信しようとする少なくとも１つのレベル情報は、このＵＥが有するすべてのレベル情報であって、第１のレベル情報、第２のレベル情報及び第３のレベル情報を含み、サービスとレベル情報との対応関係は、次の表１を例とする。
【００９９】
【表１】
2019503089.tif 000003
以上の表１では、ワイヤレスブロードバンドアクセスサービスは、リソースダウンロードサービスであってもよく、高信頼性低遅延サービスは、自動車インターネットサービスであってもよく、大規模なＩＯＴインターネットアクセスサービスは、センサーネットワークサービスであってもよい。したがって、実際では、第１のレベル情報によって示される伝送速度が、第２のレベル情報又は第３のレベル情報によって示される伝送速度よりも高くなることがある。
【０１００】
なお、本発明の実施例では、送信過程におけるトリガタイミングに対して限定をしない。例えば、ＵＥが基地局にアクセスした後、自体の少なくとも１つのレベル情報をこの基地局に積極的に送信することができ、或いは、基地局がＵＥにレベル情報の問い合わせを送信するときに、ＵＥが自体の少なくとも１つのレベル情報を基地局に返送することもできる。
【０１０１】
なお、このＵＥが少なくとも１つのレベル情報を送信するときに、まだ、使用するレベル情報に対して基地局と合意していないため、ＵＥは送信するときに、予め設定されたいずれかのレベル情報によって示される伝送速度を使用できる。
ステップ５０２において、基地局がＵＥの送信した少なくとも１つのレベル情報を受信する。
【０１０２】
本発明の実施例では、各サービス及び対応するレベル情報が基地局に予め設定されている。しかし、基地局はＵＥが送信したレベル情報を受信する前に、このＵＥが使用しているレベル情報を確認できない。したがって、このステップに基づき、基地局はこのＵＥが使用しているレベル情報を確認し、このＵＥのレベル情報を対応付けて記憶することで、後続の通信において記憶されたこのＵＥのレベル情報に基づいてこのＵＥがサポートするサービスを確認できる。
【０１０３】
ステップ５０３において、第１のサービスがトリガされると、ＵＥがサービスとレベル情報との間の対応関係から第１のサービスに対応する第１のレベル情報を照会する。
【０１０４】
本発明の実施例では、サービスとレベル情報との間の対応関係は、サービスタイプがレベル情報に対応する形で実現される。したがって、このステップにおいて、第１のサービスが使用すべきであるレベル情報を決定するために、ＵＥで第１のサービスがトリガされると、ＵＥは第１のサービスのサービスタイプを取得し、予め設定されたサービスとレベル情報との対応関係を照会して、第１のサービスが使用すべきである第１のレベル情報を決定できる。  
本発明の実施例では、サービスがトリガされる方法に対して限定をしない。例えば、ユーザがビデオリソースダウンロードリンクをクリックしたことが検出されると、ワイヤレスブロードバンドアクセスサービスがトリガされる。また、例えば、センサーデータアップロード要求が検出されると、大規模なＩＯＴインターネットアクセスサービスがトリガされる。
【０１０５】
ステップ５０４において、第１のレベル情報が少なくとも１つのレベル情報に含まれている場合には、ＵＥが第１のレベル情報によって示される伝送速度で第１のサービス要求を基地局に送信する。
【０１０６】
このステップにおいて、第１のサービス要求は、基地局に第１のレベル情報によって示される伝送速度に応じてＵＥと通信を行うように要求するためのものである。ステップ５０３を介して、ＵＥは第１のサービスが第１のレベル情報に対応することを決定でき、第１のレベル情報を使用して通信を行うことが可能であるか否かをさらに判断するために、ＵＥは第１のレベル情報が少なくとも１つのレベル情報に含まれているか否かを判断し、第１のレベル情報が少なくとも１つのレベル情報に含まれていると、ＵＥがこの第１のレベル情報を基地局に送信したことがあることを示し、つまり、現在のＵＥが第１のレベル情報によって示されるアップリンク伝送速度で通信を行うことをサポートすることを示すので、ＵＥはトリガされた第１のサービスに基づいて第１のサービス要求を生成し、第１のレベル情報によって示されるアップリンク伝送速度で第１のサービス要求を基地局に送信できる。
なお、第１のサービスがＵＥで直接にトリガされたため、このＵＥにこの第１のサービス及び対応する第１のレベル情報が設定されるべきである。しかし、ステップ５０１において、ＵＥが第１のレベル情報を基地局に送信しなかった場合もあり、この場合、本発明の実施例では、ＵＥの処理方法に対して限定をしない。例えば、この第１のサービスの通信をより合理的に完了させるために、ＵＥは第１のレベル情報によって示されるアップリンク伝送速度で第１のサービス要求を基地局に送信し、且つ、この第１のサービス要求が第１のレベル情報を携帯することで、基地局が第１のサービス要求を受信すると、第１のレベル情報を抽出するとともに、第１のレベル情報に基づいてＵＥと通信して、第１のサービスを完了する。
【０１０７】
ステップ５０５において、基地局がＵＥの送信した第１のサービス要求を受信し、第１のレベル情報が少なくとも１つのレベル情報に含まれている場合には、第１のレベル情報によって示される伝送速度に応じてＵＥと第１のサービスの通信を行う。
【０１０８】
上記のステップ５０４に基づき、基地局が第１のサービス要求を受信すると、設定によって第１のサービスに対応する第１のレベル情報を確認し、第１のレベル情報が記憶された少なくとも１つのレベル情報に含まれているか否かを判断し、第１のレベル情報が記憶された少なくとも１つのレベル情報に含まれていると、第１のレベル情報によって示されるダウンリンク伝送速度でＵＥと第１のサービスの通信を行うことができることを確認できる。
【０１０９】
なお、第１のレベル情報が少なくとも１つのレベル情報に含まれていない場合もあり（上記のステップ５０１の送信において第１のレベル情報を送信しなかった。即ち、現在のＵＥが第１のレベル情報を使用していない）、この場合、本発明の実施例では、基地局が第１のサービス要求を処理する方法に対して限定をしない。例えば、この第１のサービスを完了させるために、基地局はＵＥの現在のレベル情報によって示されるダウンリンク伝送速度で第１のサービス要求が要求しているデータをＵＥに送信する。  
ステップ５０６において、基地局が第１のレベル情報によって示される伝送速度に応じてＵＥと第１のサービスの通信を行うとき、第２のサービスがトリガされると、ＵＥがサービスとレベル情報との間の対応関係から第２のサービスに対応する第２のレベル情報を照会する。
【０１１０】
実際では、ＵＥが１つのサービスを行うとともに、他の１つのサービスをトリガする場合もある。例えば、データをダウンロードするとともに、ＵＥとバインディングされた車両にデータ要求を送信する。したがって、１つのＵＥが複数のサービスを並列に行うことができるようにさせるため、基地局とＵＥが第１のレベル情報で通信を行う過程では、第２のサービスがトリガされると、ＵＥは第２のサービスも実行できる。このステップ５０６において、ＵＥは第２のサービスのサービスタイプを取得して、予め設定されたサービスとレベル情報との間の対応関係から第２のサービスのサービスタイプに対応する第２のレベル情報を照会できる。
【０１１１】
ステップ５０７において、第２のレベル情報が少なくとも１つのレベル情報に含まれている場合には、基地局が第１のレベル情報によって示される伝送速度に応じてＵＥと第１のサービスの通信を行うとともに、ＵＥは第２のレベル情報によって示される伝送速度で第２のサービス要求を基地局に送信する。
【０１１２】
第２のサービス要求は、基地局に第２のレベル情報によって示される伝送速度に応じてＵＥと第２のサービスの通信を行うように要求するためのものである。
上記のステップ５０６に基づき、ＵＥは第２のサービスに対応する第２のレベル情報を決定でき、第２のレベル情報を使用して通信できるか否かをさらに判断するために、ＵＥは第２のレベル情報が少なくとも１つのレベル情報に含まれているか否かを判断し、第２のレベル情報が少なくとも１つのレベル情報に含まれていると、既に第２のレベル情報を基地局に送信したことを示し、また、現在のＵＥが第２のレベル情報によって示されるアップリンク伝送速度で通信することをサポートできることを示す。したがって、基地局とＵＥが第１のレベル情報を使用して通信を行うとともに、ＵＥは第２のレベル情報によって示されるアップリンク伝送速度で第２のサービス要求をこの基地局に送信できる。
【０１１３】
ステップ５０８において、基地局が第１のレベル情報によって示される伝送速度に応じてＵＥと第１のサービスの通信を行うとき、基地局がＵＥの送信した第２のサービス要求を受信すると、第２のレベル情報が少なくとも１つのレベル情報に含まれているか否かを判断する。
【０１１４】
上記のステップ５０７に基づき、基地局は第２のサービス要求を受信し、第２のサービス要求から第２のサービスのサービスタイプを取得し、設定によって第２のサービスのサービスタイプに対応する第２のレベル情報を照会でき、さらに、第２のレベル情報が記憶された少なくとも１つのレベル情報に含まれているか否かを判断して、第２のレベル情報を使用してＵＥと通信できるか否かを判断できる。
ステップ５０９において、第２のレベル情報が少なくとも１つのレベル情報に含まれている場合には、基地局が第１のレベル情報によって示される伝送速度に応じてＵＥと第１のサービスの通信を行うとともに、基地局は第２のレベル情報によって示される伝送速度に応じてＵＥと第２のサービスの通信を行う。
【０１１５】
上記のステップ５０８の判断過程に基づき、第２のレベル情報が少なくとも１つのレベル情報に含まれていると、現在のＵＥが第１のレベル情報をサポートするとともに、第２のレベル情報もサポートすることを示す。したがって、基地局は第１のレベル情報を使用してＵＥと第１のサービスの通信を行うとともに、第２のレベル情報を使用してＵＥと第２のサービスの通信も行うことができる。
【０１１６】
もちろん、上記の並列通信の過程では、基地局はこのＵＥに異なる伝送リソースを割り当てる必要があり、本発明の実施例では、具体的な割り当て方法に対して限定をしない。例えば、このＵＥの異なるサービスに異なる時間リソース又は周波数リソースを割り当てる。
【０１１７】
従来技術では、元の１つのレベル情報が、実際のサービスの要求に合致しないため、実際のサービスを実行する効果が低下される可能性が高い。
【０１１８】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０１１９】
また、ＵＥが基地局と第１のサービスの通信を行うとき、第２のサービスがトリガされて、第２のサービスに対応する第２のレベル情報がＵＥの送信した少なくとも１つのレベル情報に含まれている場合には、第１のレベル情報を使用して第１のサービスの通信を行うとともに、第２のレベル情報を使用して第２のサービスの通信も行うことで、同一のＵＥで複数のサービスを並列に行うことができ、サービスを実行する効率が向上される。
【０１２０】
上記の図５に示す実施例では、１つのＵＥで異なるレベル情報を使用し、異なるサービスを並列に行うことを実現することにより、各サービスの伝送速度に対する要求を満足でき、且つ、サービスを実行する効率が高い。実際的には、伝送リソースを節約するために、ＵＥは異なるサービスを直列に実行することもできる。例えば、図６は、一例示的な実施例に係る通信方法を示すフローチャートである。図６に示すように、基地局とユーザ機器ＵＥとの間のインタラクションに用いられる実施例であって、具体的には、下記のステップが含まれる。
【０１２１】
ステップ６０１において、ＵＥが少なくとも１つのレベル情報を基地局に送信し、各レベル情報は、ＵＥが通信を行う伝送速度を示すために使用される。
このステップは、上記のステップ５０１と同じである。
【０１２２】
実際的には、このステップにおける送信過程は、現在のＵＥがサポートするレベル情報を基地局に知らせるためである。ＵＥが通信過程で多い伝送リソースを占有することを避けるために、ＵＥは１つのレベル情報を基地局に送信して、現在この１つのレベル情報のみをサポートして通信できることを知らせる。また、異なるサービスが要求する通信遅延が異なるので、異なるサービスに対応するレベル情報によって示される通信遅延の上限も異なる。ＵＥの電力消費を低減させて、長い待機時間を維持するために、ＵＥは通信遅延の上限が高い１つのレベル情報を基地局に送信して、自体が長い送受信間隔を維持するようにしてもよい。本発明の実施例では、通信遅延の上限が最も高いものを示す第１のレベル情報を送信することを例として説明する。
【０１２３】
ステップ６０２において、基地局がＵＥの送信した少なくとも１つのレベル情報を受信する。
【０１２４】
このステップは、上記のステップ５０２と同じであるので、ここでは説明を省略する。
【０１２５】
ステップ６０３において、第１のサービスがトリガされると、ＵＥがサービスとレベル情報との間の対応関係から第１のサービスに対応する第１のレベル情報を照会する。
【０１２６】
このステップは、上記のステップ５０３と同じであるので、ここでは説明を省略する。
【０１２７】
ステップ６０４において、第１のレベル情報が少なくとも１つのレベル情報に含まれている場合には、ＵＥが第１のレベル情報によって示される伝送速度で第１のサービス要求を基地局に送信する。
【０１２８】
このステップは、上記のステップ５０４と同じであるので、ここでは説明を省略する。
【０１２９】
ステップ６０５において、基地局がＵＥの第１のレベル情報によって示される伝送速度で送信した第１のサービス要求を受信し、第１のレベル情報が少なくとも１つのレベル情報に含まれている場合には、第１のレベル情報によって示される伝送速度に応じてＵＥと第１のサービスの通信を行う。
【０１３０】
このステップは、上記のステップ５０５と同じで、ここでは詳細な説明を省略する。
【０１３１】
ステップ６０６において、基地局が第１のレベル情報によって示される伝送速度に応じてＵＥと第１のサービスの通信を行うとき、第３のサービスがトリガされると、ＵＥはサービスとレベル情報との間の対応関係から第３のサービスに対応する第３のレベル情報を照会する。
【０１３２】
このステップは、上記の図５に示す実施例のステップ５０６に類似しているが、ここでは、第３のサービスがトリガされるため、照会過程では第３のサービスに対応する第３のレベル情報を照会する。
【０１３３】
ステップ６０７において、第３のレベル情報が少なくとも１つのレベル情報に含まれていない場合には、ＵＥは現在のレベル情報を第３のレベル情報に切り替える。
上記のステップ６０６を介して、ＵＥは第３のサービスに対応する第３のレベル情報を照会できる。したがって、現在第３のレベル情報を使用して通信できるか否かをさらに確認するために、ＵＥは第３のレベル情報が少なくとも１つのレベル情報に含まれているか否かを判断し、第３のレベル情報が少なくとも１つのレベル情報に含まれていないと、現在のＵＥが第３のレベル情報で通信することをサポートしないことを示す。したがって、第３のサービス要求に合致するために、ＵＥは現在のレベル情報を第３のレベル情報に積極的に切り替えることができる。
【０１３４】
なお、上記の切り替え過程が完了すると、現在のＵＥがサポートするレベル情報は第３のレベル情報のみである。また、第３のレベル情報が少なくとも１つのレベル情報に含まれていないことが決定され、且つ、第１のサービスがまだ完了していない場合には、本発明の実施例では、切り替えのタイミングに対して限定をしない。例えば、第３のサービスを待機状態に設定し、第１のサービスが完了すると、切り替えを行う。例えば、第１のサービスを待機状態に設定し、第３のサービスが完了すると、続いて第１のレベル情報で第１のサービスの通信を行う。
【０１３５】
もちろん、第３のレベル情報が少なくとも１つのレベル情報に含まれている場合もあり、この場合、ＵＥは直接に第３のレベル情報を使用して通信を行うことができる。具体的には、上記のステップ６０４を参照すればよい。
【０１３６】
ステップ６０８において、ＵＥが第３のレベル情報によって示される伝送速度で第３のサービス要求を基地局に送信し、第３のサービス要求が第３のレベル情報を搬送する。
【０１３７】
ＵＥがレベル情報を切り替える過程を完了すると、ＵＥはトリガされた第３のサービス及び照会された第３のレベル情報に基づいて第３のサービス要求を生成し、第３のサービス要求を基地局に送信できる。ここで、第３のサービス要求は、基地局に第３のレベル情報によって示される伝送速度に応じてＵＥと第３のサービスの通信を行うように要求するためのものである。
【０１３８】
ステップ６０９において、基地局がＵＥの第３のレベル情報によって示される伝送速度で送信した第３のサービス要求を受信すると、第３のサービス要求が第３のレベル情報を携帯し、第３のレベル情報によって示される伝送速度に応じてＵＥと第３のサービスの通信を行う。
【０１３９】
このステップにおいて、基地局が第３のサービス要求を受信すると、第３のレベル情報を抽出し、現在のＵＥが第３のレベル情報に切り替ったことを決定し、第３のサービス要求の指示に基づいて、抽出された第３のレベル情報によって示されるダウンリンク伝送速度でＵＥと第３のサービスの通信を行うことができる。
【０１４０】
ステップ６１０において、基地局が第３のレベル情報によって示される伝送速度に応じてＵＥとの通信が終了すると、ＵＥは第３のレベル情報を第１のレベル情報に切り替える。
【０１４１】
ＵＥが第１のレベル情報を使用して待機するときの消費電力が最も低いため、第１のレベル情報以外のいずれかのレベル情報を使用して対応するサービスを完了する場合（例えば、リソースダウンロードが完了する）、ＵＥはこのレベル情報を第１のレベル情報に切り替えることができる。
【０１４２】
ステップ６１１において、ＵＥがレベル切り替え要求を基地局に送信し、レベル切り替え要求は、基地局に記憶されたＵＥに対応する第３のレベル情報を第１のレベル情報に切り替えるように指示するためのものである。
【０１４３】
このステップにおいて、基地局とＵＥの後続の通信が正常に行われるために、基地局が第１のレベル情報のダウンリンク伝送速度でＵＥと通信するときに、現在のＵＥがサポートする第３のレベル情報によって示されるダウンリンク伝送速度の能力範囲を超えることを避けるために、ＵＥは現在のレベル情報が第１のレベル情報に切り替ったことを基地局に知らせる必要があるので、ＵＥはレベル切り替え要求を基地局に送信する。
【０１４４】
なお、この切り替え過程は、ＵＥが第１のレベル情報に対応する状態に常駐して、すぐに第１のレベル情報を使用して基地局とある１つのサービスの通信を行うことなく、次のサービスの通信を待機するようにさせるために、この切り替え過程がいずれかのサービスに干渉しないことをさらに知らせる。したがって、本発明の実施例では、ＵＥがレベル切り替え要求を送信する際に使用するレベル情報に対して限定をしない。例えば、ＵＥは切り替った後のレベル情報（第１のレベル情報）を使用してこのレベル切り替え要求を送信する。
【０１４５】
ステップ６１２において、基地局がＵＥの送信したレベル切り替え要求を受信すると、記憶されたＵＥに対応する第３のレベル情報を第１のレベル情報に切り替える。
【０１４６】
当基地局がレベル切り替え要求を受信すると、記憶されたこのＵＥに対応する第３のレベル情報を照会して、ＵＥに対応する第３のレベル情報を第１のレベル情報に修正することで、いつでも第１のレベル情報を使用してこのＵＥと通信することを確保できる。
【０１４７】
従来技術では、元の１つのレベル情報が、実際のサービスの要求に合致しないため、実際のサービスを実行する効果が低下される可能性が高い。
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０１４８】
また、ＵＥが基地局と第１のサービスの通信を行うとき、第２のサービスがトリガされ、且つ、第２のサービスに対応する第２のレベル情報がＵＥの送信した少なくとも１つのレベル情報に含まれていない場合には、ＵＥの現在のレベル情報を第２のレベル情報に切り替えて、両方が第２のレベル情報を使用して第２のサービスの通信を行うようにすることができ、これにより、同一のＵＥで複数のサービスを直列に行うことができ、伝送リソースの占有を減少させた。また、第２のサービスが完了すると、ＵＥはさらに第１のレベル情報に切り替えることができ、ＵＥが通信遅延の上限が最も高い第１のレベル情報を待機することを確保して、自体が長い送受信間隔を維持するようにさせて、電力消費を低減させた。
【０１４９】
図７は、一例示的な実施例に係る通信方法を示すフローチャートである。図７に示すように、基地局とユーザ機器ＵＥとの間のインタラクションに用いられる実施例であって、インタラクションにおいて、異なるサービスが並列に行われることをサポートし、具体的には、下記のステップが含まれる。
【０１５０】
ステップ７０１において、ＵＥがＵＥの少なくとも１つのレベル情報を基地局に送信し、各レベル情報は、ＵＥが通信を行う伝送速度を示すために使用される。
このステップは、上記のステップ５０１と同じであるので、ここでは説明を省略する。
【０１５１】
ステップ７０２において、基地局がＵＥの送信した少なくとも１つのレベル情報を受信する。
【０１５２】
このステップは、上記のステップ５０２と同じであるので、ここでは説明を省略する。
【０１５３】
ステップ７０３において、第１のサービスがトリガされると、基地局が予め設定されたサービスとレベル情報との間の対応関係から第１のサービスに対応する第１のレベル情報を照会する。
【０１５４】
このステップにおいて、基地局側でこのＵＥとの第１のサービスがトリガされると、第１のサービスのサービスタイプを取得し、設定によってこの第１のサービスのサービスタイプに対応するレベル情報を照会することで、第１のサービスが第１のレベル情報を使用すべきであることを決定できる。
【０１５５】
本発明の実施例では、サービスがトリガされる方法に対して限定をしない。例えば、サーバーがこのＵＥにプッシュしたデータを受信すると、ワイヤレスブロードバンドアクセスサービスがトリガされる。例えば、サーバーのこのＵＥに対するセンサーデータ取得命令を受信すると、大規模なＩＯＴインターネットアクセスサービスがトリガされる。
【０１５６】
ステップ７０４において、第１のレベル情報が少なくとも１つのレベル情報に含まれている場合には、基地局が第１のレベル情報によって示される伝送速度で第１のサービス命令をＵＥに送信する。
【０１５７】
このステップにおいて、第１のサービス命令は、ＵＥが第１のレベル情報によって示される伝送速度に応じて基地局と第１のサービスの通信を行うように指示するためのものである。ステップ７０３を介して、基地局は第１のサービスに対応する第１のレベル情報を決定でき、第１のレベル情報を使用してＵＥと通信を行うことができるか否かをさらに判断するために、基地局が第１のレベル情報が少なくとも１つのレベル情報に含まれているか否かを判断し、第１のレベル情報が少なくとも１つのレベル情報に含まれていると、ＵＥがこの第１のレベル情報を基地局に送信したことがあることを示す。つまり、現在のＵＥが基地局が第１のレベル情報によって示されるダウンリンク速度で通信を行うことをサポートし、これにより、基地局はトリガされた第１のサービスに基づいて第１のサービス命令を生成し、第１のレベル情報によって示されるダウンリンク伝送速度を使用して第１のサービス命令をＵＥに送信できる。
【０１５８】
なお、第１のレベル情報が少なくとも１つのレベル情報に含まれていない場合もあり（上記のステップ７０１の送信において第１のレベル情報を送信しなかった。すなわち、現在のＵＥが第１のレベル情報を使用していない）、この場合、本発明の実施例では、基地局が第１のサービスを処理する方法に対して限定しない。例えば、第１のサービスを完了するために、基地局はＵＥの現在のレベル情報によって示されるダウンリンク伝送速度で第１のサービス命令をＵＥに送信する。
【０１５９】
ステップ７０５において、ＵＥが基地局の第１のレベル情報によって示される伝送速度で送信した第１のサービス命令を受信し、第１のレベル情報が少なくとも１つのレベル情報に含まれている場合には、第１のレベル情報によって示される伝送速度に応じて基地局と第１のサービスの通信を行う。
【０１６０】
上記のステップ７０４に基づき、ＵＥが第１のサービス命令を受信すると、設定によって第１のサービスに対応する第１のレベル情報を決定し、第１のレベル情報が送信された少なくとも１つのレベル情報に含まれているか否かを判断し、第１のレベル情報が送信された少なくとも１つのレベル情報に含まれている場合には、第１のレベル情報によって示されるアップリンク伝送速度で基地局と第１のサービスの通信を行うことができると確認する。
【０１６１】
なお、このサービスはこのＵＥに対して生成されたものであるので、このＵＥにこの第１のサービスに対応する第１のレベル情報が設定されるべきである。しかし、第１のレベル情報が少なくとも１つのレベル情報に含まれていない場合もあり、この場合、第１のサービスを合理的に完了するために、ＵＥは照会された第１のレベル情報によって示されるアップリンク伝送速度で第１のサービスの通信を実行できる。
【０１６２】
ステップ７０６において、ＵＥが第１のレベル情報によって示される伝送速度に応じて基地局と第１のサービスの通信を行うとき、第２のサービスがトリガされると、基地局は予め設定されたサービスとレベル情報との間の対応関係から第２のサービスに対応する第２のレベル情報を照会する。
【０１６３】
実際では、基地局がＵＥと１つのサービスを行うとともに、このＵＥとの他の１つのサービスもトリガされることがある。例えば、ＵＥがアップロードしたビデオリソースを受信するとき、サーバーのこのＵＥに対するセンサーデータ取得命令も受信する。したがって、基地局を１つのＵＥと複数のサービスを並列に行わせるために、基地局がＵＥと第１のレベル情報を使用して通信を行うとき、第２のサービスがトリガされると、基地局がＵＥと第２のサービスを行ってもよい。このステップ７０６において、基地局は第２のサービスのサービスタイプを取得し、設定によって第２のサービスのサービスタイプに対応する第２のレベル情報を照会することで、この第２のサービスを行う際に第２のレベル情報を使用すべきであることを決定できる。
【０１６４】
ステップ７０７において、第２のレベル情報が少なくとも１つのレベル情報に含まれている場合には、ＵＥが第１のレベル情報によって示される伝送速度に応じて基地局と第１のサービスの通信を行うとともに、基地局が第２のレベル情報によって示される伝送速度で第２のサービス命令をＵＥに送信する。
【０１６５】
第２のサービス命令は、ＵＥが第２のレベル情報によって示される伝送速度に応じて基地局と第２のサービスの通信を行うように指示するためのものである。
【０１６６】
上記のステップ７０６に基づき、基地局は第２のサービスに対応する第２のレベル情報を決定でき、第２のレベル情報を使用してこのＵＥと通信を行なうことができるか否かをさらに判断するために、基地局は第２のレベル情報が記憶されたこのＵＥの少なくとも１つのレベル情報に含まれているか否かを判断し、第２のレベル情報が記憶されたこのＵＥの少なくとも１つのレベル情報に含まれていると、現在のＵＥが第２のレベル情報によって示されるダウンリンク伝送速度で基地局と通信を行うことをサポートすることを示す。したがって、ＵＥが第１のレベル情報によって示される伝送速度に応じて基地局と通信を行うとともに、基地局は第２のレベル情報によって示されるダウンリンク伝送速度でＵＥに第２のサービス命令を送信することもできる。
【０１６７】
ステップ７０８において、ＵＥが第１のレベル情報によって示される伝送速度に応じて基地局と第１のサービスの通信を行うとき、ＵＥが基地局の第１のレベル情報によって示される伝送速度で送信した第２のサービス命令を受信すると、第２のレベル情報が少なくとも１つのレベル情報に含まれているか否かを判断する。
上記のステップ７０７に基づき、ＵＥは第２のサービス命令を受信し、第２のサービス命令から第２のサービスのサービスタイプを取得し、設定によって第２のサービスのサービスタイプに対応する第２のレベル情報を照会でき、さらに、第２のレベル情報が送信された少なくとも１つのレベル情報に含まれているか否かを判断して、第２のレベル情報によって示されるアップリンク伝送速度で基地局と通信を行うことができるか否かを判断できる。
【０１６８】
ステップ７０９において、第２のレベル情報が少なくとも１つのレベル情報に含まれている場合には、ＵＥが第１のレベル情報によって示される伝送速度に応じて基地局と第１のサービスの通信を行うとともに、ＵＥが第２のレベル情報によって示される伝送速度で基地局と第２のサービスの通信を行う。
【０１６９】
上記のステップ７０８の判断過程に基づき、第２のレベル情報が少なくとも１つのレベル情報に含まれていると、現在のＵＥが第１のレベル情報及び第２のレベル情報をサポートすることを示すので、ＵＥは第１のレベル情報を使用して基地局と第１のサービスの通信過程を行うとともに、第２のレベル情報を使用してこの基地局と第２のサービスの通信過程を行うこともできる。
【０１７０】
従来技術では、元の１つのレベル情報が、実際のサービスの要求に合致しないため、実際のサービスを実行する効果が低下される可能性が高い。
【０１７１】
本発明の実施例では、ＵＥが予め設定された少なくとも１つのレベル情報を基地局に送信することで、ＵＥと基地局の両方は通信する際にそれぞれが使用されるレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０１７２】
また、ＵＥが基地局と第１のサービスの通信を行うとき、第２のサービスがトリガされ、且つ、第２のサービスに対応する第２のレベル情報がＵＥの送信した少なくとも１つのレベル情報に含まれている場合には、第１のレベル情報を使用して第１のサービスの通信を行うとともに、第２のレベル情報を使用して第２のサービスの通信を行うことで、同一のＵＥで複数のサービスを並列に行うことができて、サービスを実行する効率が高い。
【０１７３】
上記の図７に示す実施例では、１つのＵＥで異なるレベル情報を使用して、異なるサービスを並列に行うことで、各サービスの伝送速度に対する需要を満足でき、且つ、サービスを実行する効率が高い。実際的には、伝送リソースを節約するために、ＵＥは異なるサービスを直列に実行することもできる。例えば、図８は、一例示的な実施例に係る通信方法を示すフローチャートである。図８に示すように、基地局とユーザ機器ＵＥとの間のインタラクションに用いられる実施例であって、具体的には、下記のステップが含まれる。
【０１７４】
ステップ８０１において、ＵＥがＵＥの少なくとも１つのレベル情報を基地局に送信し、各レベル情報は、ＵＥが通信を行う伝送速度を示すために使用される。
このステップは、上記のステップ７０１と同じである。
【０１７５】
伝送リソースを節約し、ＵＥの電力消費を低減させて、長い待機時間を維持するために、本発明の実施例では、通信遅延の上限が最も高いものを示す第１のレベル情報を送信することを例として説明する。
【０１７６】
ステップ８０２において、基地局がＵＥの送信した少なくとも１つのレベル情報を受信する。
【０１７７】
このステップは、上記のステップ７０２と同じであるので、ここでは説明を省略する。
【０１７８】
ステップ８０３において、第１のサービスがトリガされると、基地局が予め設定されたサービスとレベル情報との間の対応関係から第１のサービスに対応する第１のレベル情報を照会する。
【０１７９】
このステップは、上記のステップ７０３と同じであるので、ここでは説明を省略する。
【０１８０】
ステップ８０４において、第１のレベル情報が少なくとも１つのレベル情報に含まれている場合には、基地局が第１のレベル情報によって示される伝送速度で第１のサービス命令をＵＥに送信する。
【０１８１】
このステップは、上記のステップ７０４と同じであるので、ここでは説明を省略する。
【０１８２】
ステップ８０５において、ＵＥが基地局の第１のレベル情報によって示される伝送速度で送信した第１のサービス命令を受信し、第１のレベル情報が少なくとも１つのレベル情報に含まれている場合には、第１のレベル情報によって示される伝送速度に応じて基地局と第１のサービスの通信を行う。
【０１８３】
このステップは、上記のステップ７０５と同じであるので、ここでは説明を省略する。
【０１８４】
ステップ８０６において、第３のサービスがトリガされると、基地局が予め設定されたサービスとレベル情報との間の対応関係から第３のサービスに対応する第３のレベル情報を照会する。
【０１８５】
このステップは、上記のステップ７０６と同じであるが、ここでは、第３のサービスがトリガされるため、照会過程では第３のサービスに対応する第３のレベル情報を照会する。
【０１８６】
ステップ８０７において、第３のレベル情報が少なくとも１つのレベル情報に含まれていない場合には、基地局がＵＥの現在のレベル情報によって示される伝送速度で第１のレベル切り替え命令をＵＥに送信する。
【０１８７】
上記のステップ８０６を介して、基地局は第３のサービスに対応する第３のレベル情報を照会できる。したがって、現在第３のレベル情報を使用してＵＥと通信を行うことができるか否かをさらに確認するために、基地局は第３のレベル情報が記憶されたこのＵＥの少なくとも１つのレベル情報に含まれているか否かを判断し、第３のレベル情報が記憶されたこのＵＥの少なくとも１つのレベル情報に含まれていないと、現在のＵＥが第３のレベル情報で基地局と通信を行うことをサポートしないことを示す。したがって、第３のサービスの要求に合致するために、基地局はこのＵＥの現在のレベル情報によって示されるダウンリンク伝送速度で第１のレベル切り替え命令をＵＥに送信できる。ここで、第１のレベル切り替え命令は、ＵＥが現在のレベル情報を第３のレベル情報に切り替えて、第３のレベル情報によって示される伝送速度で基地局と第３のサービスの通信を行うように指示するためのものである。
【０１８８】
もちろん、第３のレベル情報が少なくとも１つのレベル情報に含まれている場合もあり、この場合、基地局は直接に第３のレベル情報を使用してＵＥと通信を行うことができる。具体的には、上記のステップ８０４を参照すればよい。
【０１８９】
ステップ８０８において、ＵＥが基地局の現在のレベル情報によって示される伝送速度で送信した第１のレベル切り替え命令を受信し、現在のレベル情報を第３のレベル情報に切り替えて、第３のレベル情報によって示される伝送速度で基地局と第３のサービスの通信を行う。
【０１９０】
上記のステップ８０７を介して、ＵＥは第１のレベル切り替え命令を受信でき、第１のレベル切り替え命令の指示に基づいて、また設定によって第３のサービスに対応する第３のレベル情報を照会し、現在のレベル情報を第３のレベル情報に切り替えて、第３のレベル情報によって示されるアップリンク伝送速度で基地局と第３のサービスの通信過程を行うことができる。
【０１９１】
ステップ８０９において、ＵＥが第３のレベル情報によって示される伝送速度で基地局との通信が終了すると、基地局は第２のレベル切り替え命令をＵＥに送信する。
【０１９２】
第２のレベル切り替え命令は、ＵＥが第３のレベル情報を第１のレベル情報に切り替えるように指示するためのものである。
【０１９３】
ＵＥが第１のレベル情報を使用して待機するときの消費電力が最も低いため、基地局とＵＥが第１のレベル情報以外のいずれかのレベル情報を使用して対応するサービスを完了する場合、基地局は第２のレベル切り替え命令をＵＥに送信し、ＵＥが現在のレベル情報を第１のレベル情報に切り替えるようにすることができる。
なお、この切り替え過程は、ＵＥが第１のレベル情報に対応する状態に常駐して、基地局がすぐに第１のレベル情報を使用してＵＥとあるサービスの通信を行うことなく、次のサービスの通信を待機するようにして、この切り替え過程がいずれかのサービスに干渉しないことをさらに知らせる。したがって、基地局は送信する際にこのＵＥが送信した少なくとも１つのレベル情報のうちのいずれかのレベル情報を使用することができる。
【０１９４】
ステップ８１０において、ＵＥが基地局の送信した第２のレベル切り替え命令を受信すると、第３のレベル情報を第１のレベル情報に切り替える。
【０１９５】
上記のステップ８０９を介して、ＵＥは第２のレベル切り替え命令を受信して、現在のサポートしている第３のレベル情報を第１のレベル情報に切り替えることで、いつでも第１のレベル情報を使用して基地局と通信できるように確保できる。
【０１９６】
ステップ８１１において、ＵＥが切り替え成功メッセージを基地局に送信する。
【０１９７】
上記のステップ８１０に基づき、ＵＥが切り替え過程を完了し、基地局もいつでも第１のレベル情報を使用してＵＥと通信できるように、ＵＥは切り替え成功メッセージを基地局に送信する。ここで、切り替え成功メッセージは、基地局が記憶されたＵＥに対応する第３のレベル情報を第１のレベル情報に切り替えるように指示するためのものである。
【０１９８】
ステップ８１２において、基地局がＵＥの送信した切り替え成功メッセージを受信し、記憶されたＵＥに対応する第３のレベル情報を第１のレベル情報に切り替える。
【０１９９】
切り替え成功メッセージを受信することで、基地局は、ＵＥの現在のレベル情報が第１のレベル情報に切り替わっていることを決定できる。したがって、このステップにおいて、基地局が記憶されたこのＵＥに対応する第３のレベル情報を第１のレベル情報に修正することで、ＵＥと基地局とがいつでも第１のレベル情報によって示される伝送速度で通信できるように確保した。
【０２００】
従来技術では、元の１つのレベル情報が、実際のサービスの要求に合致しないため、実際のサービスを実行する効果が低下される可能性が高い。
【０２０１】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０２０２】
また、ＵＥが基地局と第１のサービスの通信を行うとき、第２のサービスがトリガされ、且つ、第２のサービスに対応する第２のレベル情報がＵＥの送信した少なくとも１つのレベル情報に含まれていない場合には、両方が第２のレベル情報を使用して第２のサービスの通信を行うために、ＵＥの現在のレベル情報を第２のレベル情報に切り替えることができる。したがって、同一のＵＥで複数のサービスを直列に行うことで、伝送リソースの占有を減少させた。また、第２のサービスが完了すると、ＵＥはまた第１のレベル情報に切り替えることができ、ＵＥが通信遅延の上限の最も高い第１のレベル情報を使用して待機するように確保することで、自体が長い送受信間隔を維持するようにして、電力消費を低減させた。
【０２０３】
図９Ａは、一例示的な実施例に係る通信装置を示すブロック図である。図９Ａを参照して、この装置は、送信モジュール９０１、照会モジュール９０２及び通信モジュール９０３を備える。
【０２０４】
この送信モジュール９０１は、ＵＥの少なくとも１つのレベル情報を基地局に送信し、レベル情報は、ＵＥが通信を行う伝送速度を示すためのものであるように構成される。
【０２０５】
この照会モジュール９０２は、第１のサービスがトリガされると、ＵＥのサービスとレベル情報との間の対応関係から第１のサービスに対応する第１のレベル情報を照会するように構成される。
【０２０６】
この通信モジュール９０３は、第１のレベル情報が少なくとも１つのレベル情報に含まれている場合には、第１のレベル情報によって示される伝送速度で第１のサービス要求を基地局に送信し、第１のサービス要求は、基地局に第１のレベル情報によって示される伝送速度に応じてＵＥと第１のサービスの通信を行うように要求するためのものであるように構成される。
【０２０７】
従来技術では、元の１つのレベル情報が、実際のサービスの要求に合致しないため、実際のサービスを実行する効果が低下される可能性が高い。
【０２０８】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０２０９】
一可能な実現形態では、この照会モジュール９０２は、また、基地局が第１のレベル情報によって示される伝送速度に応じてＵＥと第１のサービスの通信を行うとき、第２のサービスがトリガされると、ＵＥのサービスとレベル情報との間の対応関係から第２のサービスに対応する第２のレベル情報を照会するように構成される。
【０２１０】
この通信モジュール９０３は、さらに、第２のレベル情報が少なくとも１つのレベル情報に含まれている場合には、基地局が第１のレベル情報によって示される伝送速度に応じてＵＥと通信を行うとともに、第２のレベル情報によって示される伝送速度で第２のサービス要求を基地局に送信し、第２のサービス要求は、基地局に第２のレベル情報によって示される伝送速度に応じてＵＥと第２のサービスの通信を行うように要求するためのものであるように構成される。
【０２１１】
一可能な実現形態では、図９Ａの装置の構成に基づき、図９Ｂを参照して、この装置は、切り替えモジュール９０４をさらに備える。
【０２１２】
この照会モジュール９０２は、さらに、第３のサービスがトリガされると、ＵＥのサービスとレベル情報との間の対応関係から第３のサービスに対応する第３のレベル情報を照会するように構成される。
【０２１３】
この切り替えモジュール９０４は、第３のレベル情報が少なくとも１つのレベル情報に含まれていない場合には、ＵＥの現在のレベル情報を第３のレベル情報に切り替えるように構成される。
【０２１４】
この通信モジュール９０３は、第３のレベル情報によって示される伝送速度で第３のサービス要求を基地局に送信し、第３のサービス要求が第３のレベル情報を携帯し、第３のサービス要求は、基地局に第３のレベル情報によって示される伝送速度に応じてＵＥと第３のサービスの通信を行うように要求するためのものであるように構成される。
【０２１５】
一可能な実現形態では、この切り替えモジュール９０４は、さらに、基地局が第３のレベル情報によって示される伝送速度に応じてＵＥと第３のサービスとの通信が終了すると、第３のレベル情報を第１のレベル情報に切り替えるように構成される。
【０２１６】
この送信モジュール９０１は、さらに、レベル切り替え要求を基地局に送信し、レベル切り替え要求は、基地局に記憶されたＵＥに対応する第３のレベル情報を第１のレベル情報に切り替えるように指示するためのものであるように構成される。
【０２１７】
一可能な実現形態では、レベル情報は、さらに、ＵＥの通信遅延の上限を示す。
上記の選択可能な技術手段のすべては、任意に組み合わせて本発明を構成する選択可能な実施例を採用できる。ここでは、詳細な説明を省略する。
【０２１８】
図１０Ａは、一例示的な実施例に係る通信装置を示すブロック図である。図１０Ａを参照して、この装置は、受信モジュール１００１及び通信モジュール１００２を備える。
【０２１９】
この受信モジュール１００１は、ユーザ機器ＵＥが送信した少なくとも１つのレベル情報を受信し、レベル情報は、ＵＥが通信を行う伝送速度を示すためのものであるように構成される。
【０２２０】
この通信モジュール１００２は、ＵＥが第１のレベル情報によって示される伝送速度で送信した第１のサービス要求を受信し、第１のレベル情報が少なくとも１つのレベル情報に含まれている場合には、第１のレベル情報によって示される伝送速度に応じてＵＥと第１のサービスの通信を行い、第１のレベル情報は、第１のサービスに対応するレベル情報であるように構成される。
【０２２１】
従来技術では、元の１つのレベル情報が、実際のサービスの要求に合致しないため、実際のサービスを実行する効果が低下される可能性が高い。
【０２２２】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０２２３】
一可能な実現形態では、図１０Ａの装置の構成に基づき、図１０Ｂを参照して、この装置は、判断モジュール１００３をさらに備える。
【０２２４】
この判断モジュール１００３は、第１のレベル情報によって示される伝送速度に応じてＵＥと第１のサービスの通信を行う過程では、ＵＥが第２のレベル情報によって示される伝送速度で送信した第２のサービス要求が受信されると、第２のレベル情報が少なくとも１つのレベル情報に含まれているか否かを判断し、第２のレベル情報は、第２のサービスに対応するレベル情報であるように構成される。
【０２２５】
この通信モジュール１００２は、さらに、第２のレベル情報が少なくとも１つのレベル情報に含まれている場合には、第１のレベル情報によって示される伝送速度に応じてＵＥと第１のサービスの通信を行うとともに、第２のレベル情報によって示される伝送速度に応じてＵＥと第２のサービスの通信を行うように構成される。
【０２２６】
一可能な実現形態では、この通信モジュール１００２は、さらに、ＵＥが第３のレベル情報によって示される伝送速度で送信した第３のサービス要求が受信されると、第３のサービス要求が第３のレベル情報を携帯し、第３のレベル情報によって示される伝送速度に応じてＵＥと第３のサービスの通信を行うように構成される。
【０２２７】
一可能な実現形態では、図１０Ａの装置の構成に基づき、図１０Ｃを参照して、この装置は、切り替えモジュール１００４をさらに備える。
【０２２８】
この切り替えモジュール１００４は、ＵＥが送信したレベル切り替え要求が受信されると、記憶されたＵＥに対応する第３のレベル情報を第１のレベル情報に切り替えるように構成される。
【０２２９】
一可能な実現形態では、レベル情報は、さらに、ＵＥの通信遅延の上限を示す。
上記の選択可能な技術手段のすべては、任意に組み合わせて本発明を構成する選択可能な実施例を採用できる。ここでは、詳細な説明を省略する。
【０２３０】
図１１Ａは、一例示的な実施例に係る通信装置を示すブロック図である。図１１Ａを参照して、この装置は、受信モジュール１１０１、照会モジュール１１０２及び通信モジュール１１０３を備える。
【０２３１】
この受信モジュール１１０１は、ＵＥが送信した少なくとも１つのレベル情報を受信し、レベル情報は、ＵＥが通信を行う伝送速度を示すためのものであるように構成される。
【０２３２】
この照会モジュール１１０２は、第１のサービスがトリガされると、予め設定されたサービスとレベル情報との間の対応関係から第１のサービスに対応する第１のレベル情報を照会するように構成される。
【０２３３】
この通信モジュール１１０３は、第１のレベル情報が少なくとも１つのレベル情報に含まれている場合には、第１のレベル情報によって示される伝送速度で第１のサービス命令をＵＥに送信し、第１のサービス命令は、ＵＥが第１のレベル情報によって示される伝送速度に応じて基地局と第１のサービスの通信を行うように指示するためのものであるように構成される。
【０２３４】
従来技術では、元の１つのレベル情報が、実際のサービスの要求に合致しないため、実際のサービスを実行する効果が低下される可能性が高い。
【０２３５】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０２３６】
一可能な実現形態では、この照会モジュール１１０２は、また、ＵＥが第１のレベル情報によって示される伝送速度に応じて基地局と通信を行う過程では、第２のサービスがトリガされると、予め設定されたサービスとレベル情報との間の対応関係から第２のサービスに対応する第２のレベル情報を照会するように構成される。
【０２３７】
この通信モジュール１１０３は、また、第２のレベル情報が少なくとも１つのレベル情報に含まれている場合には、ＵＥが第１のレベル情報によって示される伝送速度に応じて基地局と第１のサービスの通信を行うとともに、第２のレベル情報によって示される伝送速度で第２のサービス命令をＵＥに送信し、第２のサービス命令は、ＵＥが第２のレベル情報によって示される伝送速度に応じて基地局と第２のサービスの通信を行うように指示するためのものであるように構成される。
【０２３８】
一可能な実現形態では、図１１Ａの装置の構成に基づき、図１１Ｂを参照して、この装置は、送信モジュール１１０４をさらに備える。
【０２３９】
この照会モジュール１１０２は、さらに、第３のサービスがトリガされると、予め設定されたサービスとレベル情報との間の対応関係から第３のサービスに対応する第３のレベル情報を照会するように構成される。
【０２４０】
この送信モジュール１１０４は、第３のレベル情報が少なくとも１つのレベル情報に含まれていない場合には、ＵＥの現在のレベル情報によって示される伝送速度で第１のレベル切り替え命令をＵＥに送信し、第１のレベル切り替え命令は、ＵＥが現在のレベル情報を第３のレベル情報に切り替えて、第３のレベル情報によって示される伝送速度で基地局と第３のサービスの通信を行うように指示するためのものであるように構成される。
【０２４１】
一可能な実現形態では、この送信モジュール１１０４は、また、ＵＥが第３のレベル情報によって示される伝送速度で基地局と第３のサービスとの通信が終了すると、第２のレベル切り替え命令をＵＥに送信し、第２のレベル切り替え命令は、ＵＥが第３のレベル情報を第１のレベル情報に切り替えるように指示するためのものであるように構成される。
【０２４２】
この受信モジュール１１０１は、さらに、ＵＥが送信した切り替え成功メッセージを受信し、記憶されたＵＥに対応する第３のレベル情報を第１のレベル情報に切り替えるように構成される。
【０２４３】
一可能な実現形態では、レベル情報は、さらに、ＵＥの通信遅延の上限を示す。
上記の選択可能な技術手段のすべては、任意に組み合わせて本発明を構成する選択可能な実施例を採用できる。ここでは、詳細な説明を省略する。
【０２４４】
図１２Ａは、一例示的な実施例に係る通信装置を示すブロック図である。図１２Ａを参照して、この装置は、送信モジュール１２０１及び通信モジュール１２０２を備える。
【０２４５】
この送信モジュール１２０１は、ＵＥの少なくとも１つのレベル情報を基地局に送信し、レベル情報は、ＵＥが通信を行う伝送速度を示すためのものであるように構成される。
【０２４６】
この通信モジュール１２０２は、基地局が第１のレベル情報によって示される伝送速度で送信した第１のサービス命令を受信し、第１のレベル情報が少なくとも１つのレベル情報に含まれている場合には、第１のレベル情報によって示される伝送速度に応じて基地局と第１のサービスの通信を行い、第１のレベル情報は、第１のサービスに対応するレベル情報であるように構成される。
【０２４７】
従来技術では、元の１つのレベル情報が、実際のサービスの要求に合致しないため、実際のサービスを実行する効果が低下される可能性が高い。
【０２４８】
本発明の実施例では、ＵＥが予め設定された少なくとも１つのレベル情報を基地局に送信することで、ＵＥと基地局の両方は通信する際にそれぞれが使用するレベル情報を事前に合意でき、第１のサービスがトリガされると、予め設定されたサービスとレベル情報との対応関係に基づいて、第１のサービスが第１のレベル情報を使用すべきであることを決定でき、第１のレベル情報が基地局とＵＥによって事前に合意されたレベル情報に含まれている場合には、第１のサービスを実行する際に、この第１のサービス要求に合致するレベル情報を使用することで、第１のサービスを実行する効果を向上できる。また、異なるサービスに対して、設定によって異なるレベル情報を使用することで、５Ｇでの様々なサービス要求を満足できる。
【０２４９】
一可能な実現形態では、図１２Ａの装置の構成に基づき、図１２Ｂを参照して、この装置は、判断モジュール１２０３をさらに備える。
【０２５０】
この判断モジュール１２０３は、第１のレベル情報によって示される伝送速度に応じて基地局と第１のサービスの通信を行う過程では、基地局が第２のレベル情報によって示される伝送速度で送信した第２のサービス命令が受信されると、第２のレベル情報が少なくとも１つのレベル情報に含まれているか否かを判断し、第２のレベル情報は、第２のサービスに対応するレベル情報であるように構成される。
この通信モジュール１２０２は、さらに、第２のレベル情報が少なくとも１つのレベル情報に含まれている場合には、第１のレベル情報によって示される伝送速度に応じて基地局と第１のサービスの通信を行うとともに、第２のレベル情報によって示される伝送速度で基地局と第２のサービスの通信を行うように構成される。
【０２５１】
一可能な実現形態では、この通信モジュール１２０２は、さらに、基地局が現在のレベル情報によって示される伝送速度で送信した第１のレベル切り替え命令を受信し、第１のレベル切り替え命令が第３のレベル情報を携帯し、現在のレベル情報を第３のレベル情報に切り替えて、第３のレベル情報によって示される伝送速度で基地局と第３のサービスの通信を行うように構成される。
【０２５２】
一可能な実現形態では、図１２Ａの装置の構成に基づき、図１２Ｃを参照して、この装置は、切り替えモジュール１２０４をさらに備える。
【０２５３】
この切り替えモジュール１２０４は、基地局が送信した第２のレベル切り替え命令が受信されると、第３のレベル情報を第１のレベル情報に切り替えるように構成される。
【０２５４】
この送信モジュール１２０１は、さらに、切り替え成功メッセージを基地局に送信し、切り替え成功メッセージは、基地局が記憶されたＵＥに対応する第３のレベル情報を第１のレベル情報に切り替えるように指示するためのものであるように構成される。
【０２５５】
一可能な実現形態では、レベル情報は、さらに、ＵＥの通信遅延の上限を示す。
上記の選択可能な技術手段のすべては、任意に組み合わせて本発明を構成する選択可能な実施例を採用できる。ここでは、詳細な説明を省略する。
【０２５６】
図１３は、一例示的な実施例に係る基地局の構成を示す図である。図１３に示すように、この基地局は、送信機１３０１と、受信機１３０２と、メモリ１３０３と、送信機、受信機及びメモリにそれぞれ接続されるプロセッサー１３０４とを備える。もちろん、基地局は、アンテナ、ベースバンド処理部品、無線周波数処理部品、入出力装置等の汎用部品をさらに備えてもよく、本発明は、これに対して限定をしない。ここで、プロセッサー１３０４は、上記の実施例に提供されたいずれの可能な実現形態における基地局側の方法を実行するように構成される。
【０２５７】
図１４は、一例示的な実施例に係る通信装置１４００を示すブロック図である。装置１４００は、例えば、ユーザ機器ＵＥ、携帯電話、パソコン、デジタルブロードキャスト端末、メッセージ送受信装置、ゲームコンソール、タブレット、医療機器、フィットネス機器、ＰＤＡ（Ｐｅｒｓｏｎａｌ  Ｄｉｇｉｔａｌ  Ａｓｓｉｓｔａｎｔｓ）等が挙げられる。
【０２５８】
図１４を参照して、装置１４００は、処理ユニット１４０２、メモリ１４０４、電源ユニット１４０６、マルチメディアユニット１４０８、オーディオユニット１４１０、入力/出力（Ｉ/Ｏ）インタフェース１４１２、センサーユニット１４１４、及び通信ユニット１４１６からなる群から選ばれる少なくとも１つを備えてもよい。
【０２５９】
処理ユニット１４０２は、一般的には、装置１４００の全体の操作、例えば、表示、電話呼び出し、データ通信、カメラ操作及び記録操作に関連する操作を制御する。処理ユニット１４０２は、上述した方法におけるステップの一部又は全部を実現できるように、命令を実行する少なくとも１つのプロセッサー１４２０を備えてもよい。また、処理ユニット１４０２は、他のユニットとのインタラクションを便利にさせるように、少なくとも１つのモジュールを備えてもよい。例えば、処理ユニット１４０２は、マルチメディアユニット１４０８とのインタラクションを便利にさせるように、マルチメディアモジュールを備えてもよい。
【０２６０】
メモリ１４０４は、装置１４００での操作をサポートするように、各種のデータを記憶するように配置される。これらのデータは、例えば、装置１４００で何れのアプリケーション又は方法を操作するための命令、連絡先データ、電話帳データ、メッセージ、画像、ビデオ等を含む。メモリ１４０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【０２６１】
電源ユニット１４０６は、装置１４００の各種ユニットに電力を供給するためのものであり、電源管理システム、１つ又は複数の電源、及び装置１４００のために電力を生成、管理及び分配することに関連する他のユニットを備えてもよい。
【０２６２】
マルチメディアユニット１４０８は、装置１４００とユーザとの間に出力インタフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１４０８は、フロントカメラ及び/又はバックカメラを有してもよい。装置１４００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０２６３】
オーディオユニット１４１０は、オーディオ信号を出力及び/又は入力するように配置される。例えば、オーディオユニット１４１０は、マイクロフォン（ＭｉＣ）を有してもよい。装置１４００が、例えば、呼び出しモード、記録モード、又は音声認識モードのような操作モードにあるとき、マイクロフォンは、外部のオーディオ信号を受信するように配置される。受信したオーディオ信号は、メモリ１４０４にさらに記憶されてもよいし、通信ユニット１４１６を介して送信されてもよい。一実施例では、オーディオユニット１４１０は、オーディオ信号を出力するためのスピーカをさらに備えてもよい。
【０２６４】
Ｉ/Ｏインタフェース１４１２は、処理ユニット１４０２と外部のインタフェースモジュールとの間にインタフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０２６５】
センサーユニット１４１４は、装置１４００のために各方面の状態を評価する少なくとも１つのセンサーを備えてもよい。例えば、センサーユニット１４１４は、装置１４００のオン/オフ状態や、ユニットの相対的な位置を検出することができる。例えば、前記ユニットは、装置１４００のディスプレイ及びキーパッドである。センサーユニット１４１４は、装置１４００又は装置１４００の１つのユニットの位置の変化、ユーザによる装置１４００への接触の有無、装置１４００の方向又は加速/減速、装置１４００の温度変化などを検出することができる。センサーユニット１４１４は、何れの物理的な接触もない場合に付近の物体を検出するように配置される近接センサーを有してもよい。センサーユニット１４１４は、イメージングアプリケーションに用いるための光センサー、例えば、ＣＭＯＳ又はＣＣＤ画像センサーを有してもよい。一実施例では、当該センサーユニット１４１４は、加速度センサー、ジャイロスコープセンサー、磁気センサー、圧力センサー又は温度センサーをさらに備えてもよい。
【０２６６】
通信ユニット１４１６は、装置１４００と他の設備の間との無線又は有線通信を便利にさせるように配置される。装置１４００は、通信標準に基づく無線ネットワーク、例えば、ＷｉＦｉ、２Ｇ又は３Ｇ、又はそれらの組み合わせにアクセスできる。１つの例示的な実施例では、通信ユニット１４１６は、ブロードキャストチャンネルを介して外部のブロードキャスト管理システムからのブロードキャスト信号又はブロードキャストに関する情報を受信する。１つの例示的な実施例では、前記通信ユニット１４１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ(登録商標)）技術及び他の技術によって実現されてもよい。
【０２６７】
例示的な実施例では、装置１４００は、上記の図１、図４、及び図５〜図８におけるＵＥ側の通信方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０２６８】
例示的な実施例では、命令を有する非一時的コンピュータ読み取り可能な記録媒体、例えば、命令を有するメモリ１４０４をさらに提供する。前記命令は、装置１４００のプロセッサー１４２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０２６９】
当業者であれば、上記の実施例のステップの全部又は一部が、ハードウェアにより実現されることができ、或いは、プログラムによって関連のハードウェアを命令して実現されることもでき、前記プログラムはコンピュータ読み取り可能な記録媒体に記憶され、上記言及された記録媒体は、読み取り専用メモリ、磁気ディスク又は光ディスク等であってもよいことが理解される。
【０２７０】
以上は本発明の好ましい実施例にすぎず、本発明を限定するものではなく、本発明の精神及び原則内での任意の修正、均等な代替、改善等はいずれも本発明の範囲内に含まれる。
【０２７１】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本分野の公知知識、又は通常の技術手段を含む。明細書及び実施例は、単に例示的なものであって、本発明の本当の範囲と主旨は、以下の特許請求の範囲によって示される。
【図１】
2019503089.tif 000004
【図２】
2019503089.tif 000005
【図３】
2019503089.tif 000006
【図４】
2019503089.tif 000007
【図５】
2019503089.tif 000008
【図６】
2019503089.tif 000009
【図７】
2019503089.tif 000010
【図８】
2019503089.tif 000011
【図９Ａ】
2019503089.tif 000012
【図９Ｂ】
2019503089.tif 000013
【図１０Ａ】
2019503089.tif 000014
【図１０Ｂ】
2019503089.tif 000015
【図１０Ｃ】
2019503089.tif 000016
【図１１Ａ】
2019503089.tif 000017
【図１１Ｂ】
2019503089.tif 000018
【図１２Ａ】
2019503089.tif 000019
【図１２Ｂ】
2019503089.tif 000020
【図１２Ｃ】
2019503089.tif 000021
【図１３】
2019503089.tif 000022
【図１４】
2019503089.tif 000023
【手続補正書】
【提出日】平成29年9月11日(2017.9.11)
【手続補正２】
【補正対象書類名】明細書
【補正対象項目名】０００２
【補正方法】変更
【補正の内容】
【０００２】
本発明は、通信技術分野に関し、特に通信方法、装置、プログラム及び記録媒体に関する。
【手続補正３】
【補正対象書類名】明細書
【補正対象項目名】０００７
【補正方法】変更
【補正の内容】
【０００７】
本発明は、従来技術に存在する問題を解決するために、通信方法、装置、プログラム及び記録媒体を提供する。技術手段は、下記の通りである。
【手続補正４】
【補正対象書類名】明細書
【補正対象項目名】００５２
【補正方法】変更
【補正の内容】
【００５２】
本発明の第１２の態様によれば、通信装置が提供され、前記装置は、
プロセッサーと、
プロセッサーで実行可能な命令を記憶するためのメモリと、を備え、
前記プロセッサーは、ＵＥの少なくとも１つのレベル情報を基地局に送信し、前記レベル情報は、前記ＵＥが通信を行う伝送速度を示すためのものであり、前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるように構成される。
本発明の第１３の態様によれば、プログラムが提供され、プログラムは、
プロセッサーに実行されることにより、上記通信方法を実現する。
本発明の第１４の態様によれば、記録媒体が提供され、記録媒体は、
上記プログラムが記録される。
【手続補正５】
【補正対象書類名】特許請求の範囲
【補正対象項目名】全文
【補正方法】変更
【補正の内容】
【特許請求の範囲】
【請求項１】
ユーザ機器ＵＥに用いられる通信方法であって、
前記ＵＥの少なくとも１つのレベル情報を基地局に送信し、前記レベル情報は、前記ＵＥが通信を行う伝送速度を示すためのものであるステップと、
第１のサービスがトリガされると、前記ＵＥのサービスとレベル情報との間の対応関係から前記第１のサービスに対応する第１のレベル情報を照会するステップと、
前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものであるステップと、を含む
ことを特徴とする通信方法。
【請求項２】
前記基地局が前記第１のレベル情報によって示される伝送速度に応じて前記ＵＥと前記第１のサービスの通信を行うとき、第２のサービスがトリガされると、前記ＵＥのサービスとレベル情報との間の対応関係から前記第２のサービスに対応する第２のレベル情報を照会するステップと、
前記第２のレベル情報が前記少なくとも１つのレベル情報に含まれている場合には、前記基地局が前記第１のレベル情報によって示される伝送速度に応じて前記ＵＥと通信を行うとともに、前記第２のレベル情報によって示される伝送速度で第２のサービス要求を前記基地局に送信し、前記第２のサービス要求は、前記基地局に前記第２のレベル情報によって示される伝送速度に応じて前記ＵＥと前記第２のサービスの通信を行うように要求するためのものであるステップと、をさらに含む
ことを特徴とする請求項１に記載の方法。 
【請求項３】
第３のサービスがトリガされると、前記ＵＥのサービスとレベル情報との間の対応関係から第３のサービスに対応する第３のレベル情報を照会するステップと、
前記第３のレベル情報が前記少なくとも１つのレベル情報に含まれていない場合には、前記ＵＥの現在のレベル情報を前記第３のレベル情報に切り替えるステップと、
前記第３のレベル情報によって示される伝送速度で第３のサービス要求を前記基地局に送信し、前記第３のサービス要求が前記第３のレベル情報を携帯し、前記第３のサービスは、前記基地局に前記第３のレベル情報によって示される伝送速度に応じて前記ＵＥと前記第３のサービスの通信を行うように要求するためのものであるステップと、をさらに含む
ことを特徴とする請求項１に記載の方法。
【請求項４】
前記第３のサービス要求を前記基地局に送信した後、
前記基地局が前記第３のレベル情報によって示される伝送速度に応じて前記ＵＥと前記第３のサービスとの通信が終了すると、前記第３のレベル情報を前記第１のレベル情報に切り替えるステップと、
レベル切り替え要求を前記基地局に送信し、前記レベル切り替え要求は、前記基地局が記憶された前記ＵＥに対応する前記第３のレベル情報を前記第１のレベル情報に切り替えるように指示するためのものであるステップと、をさらに含む
ことを特徴とする請求項３に記載の方法。 
【請求項５】
前記レベル情報は、さらに、前記ＵＥの通信遅延の上限を示す
ことを特徴とする請求項１に記載の方法。
【請求項６】
基地局に用いられる通信方法であって、
ユーザ機器ＵＥが送信した少なくとも１つのレベル情報を受信し、前記レベル情報は、前記ＵＥが通信を行う伝送速度を示すためのものであるステップと、
前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報であるステップと、を含む
ことを特徴とする通信方法。
【請求項７】
前記第１のレベル情報によって示される伝送速度に応じて前記ＵＥと前記第１のサービスの通信を行うとき、前記ＵＥが第２のレベル情報によって示される伝送速度で送信した第２のサービス要求が受信されると、第２のレベル情報が前記少なくとも１つのレベル情報に含まれているか否かを判断し、
前記第２のレベル情報は、第２のサービスに対応するレベル情報であるステップと、
前記第２のレベル情報が前記少なくとも１つのレベル情報に含まれている場合には、前記第１のレベル情報によって示される伝送速度に応じて前記ＵＥと前記第１のサービスの通信を行うとともに、前記第２のレベル情報によって示される伝送速度に応じて前記ＵＥと前記第２のサービスの通信を行うステップと、をさらに含む
ことを特徴とする請求項６に記載の方法。 
【請求項８】
前記ＵＥが第３のレベル情報によって示される伝送速度で送信した第３のサービス要求が受信されると、前記第３のサービス要求が前記第３のレベル情報を携帯し、前記第３のレベル情報によって示される伝送速度に応じて前記ＵＥと第３のサービスの通信を行うステップをさらに含む
ことを特徴とする請求項６に記載の方法。 
【請求項９】
前記第３のレベル情報によって示される伝送速度に応じて前記ＵＥと第３のサービスの通信を行った後、
前記ＵＥが送信したレベル切り替え要求が受信されると、記憶された前記ＵＥに対応する前記第３のレベル情報を前記第１のレベル情報に切り替えるステップをさらに含む
ことを特徴とする請求項８に記載の方法。
【請求項１０】
前記レベル情報は、さらに、前記ＵＥの通信遅延の上限を示す
ことを特徴とする請求項６に記載の方法。
【請求項１１】
前基地局に用いられる通信方法であって、
ＵＥが送信した少なくとも１つのレベル情報を受信し、前記レベル情報は、前記ＵＥが通信を行う伝送速度を示すためのものであるステップと、
第１のサービスがトリガされると、予め設定されたサービスとレベル情報との間の対応関係から前記第１のサービスに対応する第１のレベル情報を照会するステップと、
前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて前記基地局と前記第１のサービスの通信を行うように指示するためのものであるステップと、を含む
ことを特徴とする通信方法。
【請求項１２】
前記ＵＥが前記第１のレベル情報によって示される伝送速度に応じて前記基地局と通信を行うとき、第２のサービスがトリガされると、予め設定されたサービスとレベル情報との間の対応関係から前記第２のサービスに対応する第２のレベル情報を照会するステップと、
前記第２のレベル情報が前記少なくとも１つのレベル情報に含まれている場合には、前記ＵＥが前記第１のレベル情報によって示される伝送速度に応じて前記基地局と前記第１のサービスの通信を行うとともに、前記第２のレベル情報によって示される伝送速度で第２のサービス命令を前記ＵＥに送信し、前記第２のサービス命令は、前記ＵＥが前記第２のレベル情報によって示される伝送速度に応じて前記基地局と前記第２のサービスの通信を行うように指示するためのものであるステップと、をさらに含む
ことを特徴とする請求項１１に記載の方法。
【請求項１３】
第３のサービスがトリガされると、予め設定されたサービスとレベル情報との間の対応関係から前記第３のサービスに対応する第３のレベル情報を照会するステップと、
前記第３のレベル情報が前記少なくとも１つのレベル情報に含まれていない場合には、前記ＵＥの現在のレベル情報によって示される伝送速度で第１のレベル切り替え命令を前記ＵＥに送信し、前記第１のレベル切り替え命令は、前記ＵＥが現在のレベル情報を前記第３のレベル情報に切り替えて、前記第３のレベル情報によって示される伝送速度で前記基地局と前記第３のサービスの通信を行うように指示するためのものであるステップと、をさらに含む
ことを特徴とする請求項１１に記載の方法。
【請求項１４】
前記第１のレベル切り替え命令を前記ＵＥに送信した後、
前記ＵＥが前記第３のレベル情報によって示される伝送速度で前記基地局と前記第３のサービスとの通信が終了すると、第２のレベル切り替え命令を前記ＵＥに送信し、前記第２のレベル切り替え命令は、前記ＵＥが前記第３のレベル情報を前記第１のレベル情報に切り替えるように指示するためのものであるステップと、
前記ＵＥが送信した切り替え成功メッセージを受信し、記憶された前記ＵＥに対応する前記第３のレベル情報を前記第１のレベル情報に切り替えるステップと、をさらに含む
ことを特徴とする請求項１３に記載の方法。
【請求項１５】
前記レベル情報は、さらに、前記ＵＥの通信遅延の上限を示す
ことを特徴とする請求項１１に記載の方法。
【請求項１６】
ユーザ機器ＵＥに用いられる通信方法であって、
前記ＵＥの少なくとも１つのレベル情報を基地局に送信し、前記レベル情報は、前記ＵＥが通信を行う伝送速度を示すためのものであるステップと、
前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるステップと、を含む
ことを特徴とする通信方法。
【請求項１７】
前記第１のレベル情報によって示される伝送速度に応じて前記基地局と前記第１のサービスの通信を行うとき、前記基地局が第２のレベル情報によって示される伝送速度で送信した第２のサービス命令が受信されると、前記第２のレベル情報が前記少なくとも１つのレベル情報に含まれているか否かを判断し、前記第２のレベル情報は、第２のサービスに対応するレベル情報であるステップと、
前記第２のレベル情報が前記少なくとも１つのレベル情報に含まれている場合には、前記第１のレベル情報によって示される伝送速度に応じて前記基地局と前記第１のサービス通信を行うとともに、前記第２のレベル情報によって示される伝送速度で前記基地局と前記第２のサービスの通信を行うステップと、をさらに含む
ことを特徴とする請求項１６に記載の方法。
【請求項１８】
前記基地局が現在のレベル情報によって示される伝送速度で送信した第１のレベル切り替え命令を受信し、前記第１のレベル切り替え命令が第３のレベル情報を携帯し、現在のレベル情報を前記第３のレベル情報に切り替えて、前記第３のレベル情報によって示される伝送速度で前記基地局と第３のサービスの通信を行うステップをさらに含む
ことを特徴とする請求項１６に記載の方法。
【請求項１９】
前記基地局が現在のレベル情報によって示される伝送速度で送信した第１のレベル切り替え命令を受信した後、
前記基地局が送信した第２のレベル切り替え命令が受信されると、前記第３のレベル情報を前記第１のレベル情報に切り替えるステップと、
切り替え成功メッセージを前記基地局に送信し、前記切り替え成功メッセージは、前記基地局が記憶された前記ＵＥに対応する前記第３のレベル情報を前記第１のレベル情報に切り替えるように指示するためのものであるステップと、をさらに含む
ことを特徴とする請求項１８に記載の方法。
【請求項２０】
前記レベル情報は、さらに、前記ＵＥの通信遅延の上限を示す
ことを特徴とする請求項１６に記載の方法。
【請求項２１】
ＵＥの少なくとも１つのレベル情報を基地局に送信し、前記レベル情報は、前記ＵＥが通信を行う伝送速度を示すためのものである送信モジュールと、
第１のサービスがトリガされると、前記ＵＥのサービスとレベル情報との間の対応関係から前記第１のサービスに対応する第１のレベル情報を照会する照会モジュールと、
前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものである通信モジュールと、を備える
ことを特徴とする通信装置。
【請求項２２】
前記照会モジュールは、さらに、前記基地局が前記第１のレベル情報によって示される伝送速度に応じて前記ＵＥと前記第１のサービスの通信を行うとき、第２のサービスがトリガされると、前記ＵＥのサービスとレベル情報との間の対応関係から前記第２のサービスに対応する第２のレベル情報を照会し、
前記通信モジュールは、さらに、前記第２のレベル情報が前記少なくとも１つのレベル情報に含まれている場合には、前記基地局が前記第１のレベル情報によって示される伝送速度に応じて前記ＵＥと通信を行うとともに、前記第２のレベル情報によって示される伝送速度で第２のサービス要求を前記基地局に送信し、前記第２のサービス要求は、前記基地局に前記第２のレベル情報によって示される伝送速度に応じて前記ＵＥと前記第２のサービスの通信を行うように要求するためのものである
ことを特徴とする請求項２１に記載の装置。
【請求項２３】
さらに、第３のサービスがトリガされると、前記ＵＥのサービスとレベル情報との間の対応関係から第３のサービスに対応する第３のレベル情報を照会する前記照会モジュールと、
前記第３のレベル情報が前記少なくとも１つのレベル情報に含まれていない場合には、前記ＵＥの現在のレベル情報を前記第３のレベル情報に切り替える切り替えモジュールと、
さらに、前記第３のレベル情報によって示される伝送速度で第３のサービス要求を前記基地局に送信し、前記第３のサービス要求が前記第３のレベル情報を携帯し、前記第３のサービスは、前記基地局に前記第３のレベル情報によって示される伝送速度に応じて前記ＵＥと前記第３のサービスの通信を行うように要求するためのものである前記通信モジュールと、をさらに備える
ことを特徴とする請求項２１に記載の装置。
【請求項２４】
前記切り替えモジュールは、さらに、前記基地局が前記第３のレベル情報によって示される伝送速度に応じて前記ＵＥと前記第３のサービスとの通信が終了すると、前記第３のレベル情報を前記第１のレベル情報に切り替え、
前記送信モジュールは、さらに、レベル切り替え要求を前記基地局に送信し、前記レベル切り替え要求は、前記基地局が記憶された前記ＵＥに対応する前記第３のレベル情報を前記第１のレベル情報に切り替えるように指示するためのものである
ことを特徴とする請求項２３に記載の装置。
【請求項２５】
前記レベル情報は、さらに、前記ＵＥの通信遅延の上限を示す
ことを特徴とする請求項２１に記載の装置。
【請求項２６】
ユーザ機器ＵＥが送信した少なくとも１つのレベル情報を受信し、前記レベル情報は、前記ＵＥが通信を行う伝送速度を示すためのものである受信モジュールと、
前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報である通信モジュールと、を備える
ことを特徴とする通信装置。
【請求項２７】
前記第１のレベル情報によって示される伝送速度に応じて前記ＵＥと前記第１のサービスの通信を行うとき、前記ＵＥが第２のレベル情報によって示される伝送速度で前記送信した第２のサービス要求が受信されると、第２のレベル情報が前記少なくとも１つのレベル情報に含まれているか否かを判断し、前記第２のレベル情報は、第２のサービスに対応するレベル情報である判断モジュールと、
さらに、前記第２のレベル情報が前記少なくとも１つのレベル情報に含まれている場合には、前記第１のレベル情報によって示される伝送速度に応じて前記ＵＥと前記第１のサービスの通信を行うとともに、前記第２のレベル情報によって示される伝送速度に応じて前記ＵＥと前記第２のサービスの通信を行う前記通信モジュールと、をさらに備える
ことを特徴とする請求項２６に記載の装置。
【請求項２８】
前記通信モジュールは、さらに、前記ＵＥが第３のレベル情報によって示される伝送速度で送信した第３のサービス要求が受信されると、前記第３のサービス要求が第３のレベル情報を携帯し、前記第３のレベル情報によって示される伝送速度に応じて前記ＵＥと第３のサービスの通信を行う
ことを特徴とする請求項２６に記載の装置。
【請求項２９】
前記ＵＥが送信したレベル切り替え要求が受信されると、記憶された前記ＵＥに対応する前記第３のレベル情報を前記第１のレベル情報に切り替える切り替えモジュールをさらに備える
ことを特徴とする請求項２８に記載の放置。
【請求項３０】
前記レベル情報は、さらに、前記ＵＥの通信遅延の上限を示す
ことを特徴とする請求項２６に記載の装置。
【請求項３１】
ＵＥが送信した少なくとも１つのレベル情報を受信し、前記レベル情報は、前記ＵＥが通信を行う伝送速度を示すためのものである受信モジュールと、
第１のサービスがトリガされると、予め設定されたサービスとレベル情報との間の対応関係から前記第１のサービスに対応する第１のレベル情報を照会する照会モジュールと、
前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて基地局と前記第１のサービスの通信を行うように指示するためのものである通信モジュールと、を備える
ことを特徴とする通信装置。
【請求項３２】
前記照会モジュールは、さらに、前記ＵＥが前記第１のレベル情報によって示される伝送速度に応じて前記基地局と通信を行うとき、第２のサービスがトリガされると、予め設定されたサービスとレベル情報との間の対応関係から前記第２のサービスに対応する第２のレベル情報を照会し、
前記通信モジュールは、さらに、前記第２のレベル情報が前記少なくとも１つのレベル情報に含まれている場合には、前記ＵＥが前記第１のレベル情報によって示される伝送速度に応じて前記基地局と前記第１のサービスの通信を行うとともに、前記第２のレベル情報によって示される伝送速度で第２のサービス命令を前記ＵＥに送信し、前記第２のサービス命令は、前記ＵＥが前記第２のレベル情報によって示される伝送速度に応じて前記基地局と前記第２のサービスの通信を行うように指示するためのものである
ことを特徴とする請求項３１に記載の装置。
【請求項３３】
また、第３のサービスがトリガされると、予め設定されたサービスとレベル情報との間の対応関係から前記第３のサービスに対応する第３のレベル情報を照会する前記照会モジュールと、
前記第３のレベル情報が前記少なくとも１つのレベル情報に含まれていない場合には、前記ＵＥの現在のレベル情報によって示される伝送速度で第１のレベル切り替え命令を前記ＵＥに送信し、前記第１のレベル切り替え命令は、前記ＵＥが現在のレベル情報を前記第３のレベル情報に切り替えて、前記第３のレベル情報によって示される伝送速度で前記基地局と前記第３のサービスの通信を行うように指示するためのものである送信モジュールと、をさらに備える
ことを特徴とする請求項３１に記載の装置。
【請求項３４】
前記送信モジュールは、さらに、前記ＵＥが前記第３のレベル情報によって示される伝送速度で前記基地局と前記第３のサービスとの通信が終了すると、第２のレベル切り替え命令を前記ＵＥに送信し、前記第２のレベル切り替え命令は、前記ＵＥが前記第３のレベル情報を前記第１のレベル情報に切り替えるように指示するためのものであり、
前記受信モジュールは、さらに、前記ＵＥが送信した切り替え成功メッセージを受信し、記憶された前記ＵＥに対応する前記第３のレベル情報を前記第１のレベル情報に切り替える
ことを特徴とする請求項３３に記載の装置。
【請求項３５】
前記レベル情報は、さらに、前記ＵＥの通信遅延の上限を示す
ことを特徴とする請求項３１に記載の装置。
【請求項３６】
ＵＥの少なくとも１つのレベル情報を基地局に送信し、前記レベル情報は、前記ＵＥが通信を行う伝送速度を示すためのものである送信モジュールと、
前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報である通信モジュールと、を備える
ことを特徴とする通信装置。
【請求項３７】
前記第１のレベル情報によって示される伝送速度に応じて前記基地局と前記第１のサービスの通信を行う過程では、前記基地局が第２のレベル情報によって示される伝送速度で送信した第２のサービス命令が受信されると、前記第２のレベル情報が前記少なくとも１つのレベル情報に含まれているか否かを判断し、前記第２のレベル情報は、第２のサービスに対応するレベル情報である判断モジュールと、
さらに、前記第２のレベル情報が前記少なくとも１つのレベル情報に含まれている場合には、前記第１のレベル情報によって示される伝送速度に応じて前記基地局と前記第１のサービスの通信を行うとともに、前記第２のレベル情報によって示される伝送速度で前記基地局と前記第２のサービスの通信を行う前記通信モジュールと、をさらに備える
ことを特徴とする請求項３６に記載の装置。
【請求項３８】
前記通信モジュールは、さらに、 前記基地局が現在のレベル情報によって示される伝送速度で送信した第１のレベル切り替え命令を受信し、 前記第１のレベル切り替え命令が第３のレベル情報を携帯し、現在のレベル情報を前記第３のレベル情報に切り替えて、前記第３のレベル情報によって示される伝送速度で前記基地局と第３のサービスの通信を行う
ことを特徴とする請求項３６に記載の装置。
【請求項３９】
前記基地局が送信した第２のレベル切り替え命令が受信されると、前記第３のレベル情報を前記第１のレベル情報に切り替える切り替えモジュールと、
さらに、切り替え成功メッセージを前記基地局に送信し、前記切り替え成功メッセージは、前記基地局が記憶された前記ＵＥに対応する前記第３のレベル情報を前記第１のレベル情報に切り替えるように指示するためのものである前記送信モジュールと、をさらに備える
ことを特徴とする請求項３８に記載の装置。
【請求項４０】
前記レベル情報は、さらに、前記ＵＥの通信遅延の上限を示す
ことを特徴とする請求項３６に記載の装置。
【請求項４１】
プロセッサーと、
プロセッサーで実行可能な命令を記憶するためのメモリと、を備え、
前記プロセッサーは、前記ＵＥの少なくとも１つのレベル情報を基地局に送信し、前記レベル情報は、ＵＥが通信を行う伝送速度を示すためのものであり、第１のサービスがトリガされると、前記ＵＥのサービスとレベル情報との間の対応関係から前記第１のサービスに対応する第１のレベル情報を照会し、前記第１のレベル情報が前記少なくとも１つのレベル情報に含まれている場合には、前記第１のレベル情報によって示される伝送速度で第１のサービス要求を前記基地局に送信し、前記第１のサービス要求は、前記基地局に前記第１のレベル情報によって示される伝送速度に応じて前記ＵＥと前記第１のサービスの通信を行うように要求するためのものであるように構成される
ことを特徴とする通信装置。
【請求項４２】
プロセッサーと、
プロセッサーで実行可能な命令を記憶するためのメモリと、を備え、
前記プロセッサーは、ユーザ機器ＵＥが送信した少なくとも１つのレベル情報を受信し、前記レベル情報は、前記ＵＥが通信を行う伝送速度を示すためのものであり、前記ＵＥが第１のレベル情報によって示される伝送速度で送信した第１のサービス要求を受信し、前記第１のレベル情報が前記少なくとも１つのレベル情報に含まれている場合には、前記第１のレベル情報によって示される伝送速度に応じて前記ＵＥと第１のサービスの通信を行い、前記第１のレベル情報は、前記第１のサービスに対応するレベル情報であるように構成される
ことを特徴とする通信装置。
【請求項４３】
プロセッサーと、
プロセッサーで実行可能な命令を記憶するためのメモリと、を備え、
前記プロセッサーは、ＵＥが送信した少なくとも１つのレベル情報を受信し、前記レベル情報は、前記ＵＥが通信を行う伝送速度を示すためのものであり、第１のサービスがトリガされると、予め設定されたサービスとレベル情報との間の対応関係から前記第１のサービスに対応する第１のレベル情報を照会し、前記第１のレベル情報が前記少なくとも１つのレベル情報に含まれている場合には、前記第１のレベル情報によって示される伝送速度で第１のサービス命令を前記ＵＥに送信し、前記第１のサービス命令は、前記ＵＥが前記第１のレベル情報によって示される伝送速度に応じて前記基地局と前記第１のサービスの通信を行うように指示するためのものであるように構成される
ことを特徴とする通信装置。
【請求項４４】
プロセッサーと、
プロセッサーで実行可能な命令を記憶するためのメモリと、を備え、
前記プロセッサーは、ＵＥの少なくとも１つのレベル情報を基地局に送信し、前記レベル情報は、前記ＵＥが通信を行う伝送速度を示すためのものであり、前記基地局が第１のレベル情報によって示される伝送速度で送信した第１のサービス命令を受信し、前記第１のレベル情報が前記少なくとも１つのレベル情報に含まれている場合には、前記第１のレベル情報によって示される伝送速度に応じて前記基地局と第１のサービスの通信を行い、前記第１のレベル情報は、前記第１のサービスに対応するレベル情報であるように構成される
ことを特徴とする通信装置。
【請求項４５】
プロセッサーに実行されることにより、請求項１〜２０のいずれか１項に記載の通信方法を実現する、プログラム。
【請求項４６】
請求項４５に記載のプログラムが記録された記録媒体。
【国際調査報告】
2019503089.tif 000024
2019503089.tif 000025
2019503089.tif 000026
2019503089.tif 000027